(57)【要約】  排熱回収運転時に、熱量の大きなサイクルにおける冷媒を、排熱回収用の熱交換器と、排熱用の熱交換器とに好適に分配可能な空調給湯システム及び空調給湯システムの制御方法を提供するため、空調サイクルでの冷房運転と、給湯サイクルでの給湯運転と、を同時に実行する場合に、制御装置（１ａ）は、空調放熱量と、給湯吸熱量と、空調用冷媒回路（５）における目標凝縮温度と、給湯用冷媒回路（６）における目標蒸発温度と、を演算する。そして、制御装置（１ａ）は、空調放熱量が給湯吸熱量より大きい場合は、給湯用熱源側熱交換器（４４）の給湯用冷媒入口（４４ａ）に配設される給湯用冷媒流量調整弁（４９ａ）を閉弁するとともに、空調用熱源側熱交換器（２４）の冷房時空調用冷媒入口（２４ａ）に配設される空調用冷媒流量調整弁（３５ｃ）の弁開度を、冷房時空調用冷媒出口（２４ｂ）の近傍の温度に基づいて調整する空調給湯システムとする。
2012114461.tif 000002
【特許請求の範囲】
【請求項１】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムであって、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、
前記制御装置は、
前記空調サイクルでの冷房運転と、前記給湯サイクルでの給湯運転と、を同時に実行する場合に、
前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、
前記空調放熱量が前記給湯吸熱量より大きいとき、
給湯用冷媒遮断手段によって前記給湯用熱源側熱交換器への前記給湯用冷媒の流入を遮断するとともに、前記空調用熱交換器出口温度に基づいて前記空調用冷媒流入量調整手段を制御して、前記空調用熱源側熱交換器又は前記中間熱交換器への前記空調用冷媒の流入量を調整することを特徴とする空調給湯システム。
【請求項２】
前記制御装置は、
前記空調用熱交換器出口温度が前記目標凝縮温度となるように前記空調用熱源側熱交換器又は前記中間熱交換器への前記空調用冷媒の流入量を調整することを特徴とする請求の範囲第１項に記載の空調給湯システム。
【請求項３】
前記空調用冷媒流入量調整手段は空調用冷媒流量調整弁であって、
前記空調用熱源側熱交換器の前記空調用冷媒に対する流路抵抗が、前記中間熱交換器の前記空調用冷媒に対する流路抵抗より小さい場合の構成として、
前記空調用冷媒流量調整弁を、前記冷房運転時に前記空調用熱源側熱交換器への前記空調用冷媒の入口となる第１空調用冷媒入口に備え、さらに、前記空調用熱交換器出口温度測定手段を、前記冷房運転時に前記空調用熱源側熱交換器からの前記空調用冷媒の出口となる第１空調用冷媒出口の近傍に備え、
前記制御装置は、前記空調用冷媒流量調整弁の弁開度を調整して、前記空調用熱源側熱交換器への前記空調用冷媒の流入量を調整することを特徴とする請求の範囲第１項に記載の空調給湯システム。
【請求項４】
前記空調用冷媒流入量調整手段は空調用冷媒流量調整弁であって、
前記空調用熱源側熱交換器の前記空調用冷媒に対する流路抵抗が、前記中間熱交換器の前記空調用冷媒に対する流路抵抗より小さい場合の構成として、
前記空調用冷媒流量調整弁を、前記冷房運転時に前記空調用熱源側熱交換器への前記空調用冷媒の入口となる第１空調用冷媒入口に備え、さらに、前記空調用熱交換器出口温度測定手段を、前記冷房運転時に前記空調用熱源側熱交換器からの前記空調用冷媒の出口となる第１空調用冷媒出口の近傍に備え、
前記制御装置は、前記空調用冷媒流量調整弁の弁開度を調整して、前記空調用熱源側熱交換器への前記空調用冷媒の流入量を調整することを特徴とする請求の範囲第２項に記載の空調給湯システム。
【請求項５】
前記空調用冷媒流入量調整手段は空調用冷媒流量調整弁であって、
前記中間熱交換器の前記空調用冷媒に対する流路抵抗が、前記空調用熱源側熱交換器の前記空調用冷媒に対する流路抵抗より小さい場合の構成として、
前記空調用冷媒流量調整弁を、前記冷房運転時に前記中間熱交換器への前記空調用冷媒の入口となる第２空調用冷媒入口に備え、さらに、前記空調用熱交換器出口温度測定手段を、前記冷房運転時に前記中間熱交換器からの前記空調用冷媒の出口となる第２空調用冷媒出口の近傍に備え、
前記制御装置は、前記空調用冷媒流量調整弁の弁開度を調整して、前記中間熱交換器への前記空調用冷媒の流入量を調整することを特徴とする請求の範囲第１項に記載の空調給湯システム。
【請求項６】
前記空調用冷媒流入量調整手段は空調用冷媒流量調整弁であって、
前記中間熱交換器の前記空調用冷媒に対する流路抵抗が、前記空調用熱源側熱交換器の前記空調用冷媒に対する流路抵抗より小さい場合の構成として、
前記空調用冷媒流量調整弁を、前記冷房運転時に前記中間熱交換器への前記空調用冷媒の入口となる第２空調用冷媒入口に備え、さらに、前記空調用熱交換器出口温度測定手段を、前記冷房運転時に前記中間熱交換器からの前記空調用冷媒の出口となる第２空調用冷媒出口の近傍に備え、
前記制御装置は、前記空調用冷媒流量調整弁の弁開度を調整して、前記中間熱交換器への前記空調用冷媒の流入量を調整することを特徴とする請求の範囲第２項に記載の空調給湯システム。
【請求項７】
前記給湯サイクルでの給湯運転時に、前記給湯用熱源側熱交換器又は前記中間熱交換器への前記給湯用冷媒の流入量を調整する給湯用冷媒流入量調整手段と、
前記給湯用熱源側熱交換器と前記中間熱交換器のうち、前記給湯運転時に前記給湯用冷媒の流入量が調整される一方の給湯用熱交換器出口温度を測定する給湯用熱交換器出口温度測定手段と、をさらに備え、
前記制御装置は、
前記空調サイクルでの冷房運転と、前記給湯サイクルでの給湯運転と、を同時に実行する場合に、前記給湯吸熱量が前記空調放熱量より大きいとき、
空調用冷媒遮断手段によって前記空調用熱源側熱交換器への前記空調用冷媒の流入を遮断するとともに、前記給湯用熱交換器出口温度に基づいて前記給湯用冷媒流入量調整手段を制御して、前記給湯用熱源側熱交換器又は前記中間熱交換器への前記給湯用冷媒の流入量を調整することを特徴とする請求の範囲第１項乃至請求の範囲第６項のいずれか１項に記載の空調給湯システム。
【請求項８】
前記制御装置は、
前記給湯用熱交換器出口温度が前記目標蒸発温度となるように前記給湯用熱源側熱交換器又は前記中間熱交換器への前記給湯用冷媒の流入量を調整することを特徴とする請求の範囲第７項に記載の空調給湯システム。
【請求項９】
前記給湯用冷媒流入量調整手段は給湯用冷媒流量調整弁であって、
前記給湯用熱源側熱交換器の前記給湯用冷媒に対する流路抵抗が、前記中間熱交換器の前記給湯用冷媒に対する流路抵抗より小さい場合の構成として、
前記給湯用冷媒流量調整弁を、前記給湯運転時に前記給湯用熱源側熱交換器への前記給湯用冷媒の入口となる第１給湯用冷媒入口に備え、さらに、前記給湯用熱交換器出口温度測定手段を、前記給湯運転時に前記給湯用熱源側熱交換器からの前記給湯用冷媒の出口となる第１給湯用冷媒出口の近傍に備え、
前記制御装置は、前記給湯用冷媒流量調整弁の弁開度を調整して、前記給湯用熱源側熱交換器への前記給湯用冷媒の流入量を調整することを特徴とする請求の範囲第７項に記載の空調給湯システム。
【請求項１０】
前記給湯用冷媒流入量調整手段は給湯用冷媒流量調整弁であって、
前記給湯用熱源側熱交換器の前記給湯用冷媒に対する流路抵抗が、前記中間熱交換器の前記給湯用冷媒に対する流路抵抗より小さい場合の構成として、
前記給湯用冷媒流量調整弁を、前記給湯運転時に前記給湯用熱源側熱交換器への前記給湯用冷媒の入口となる第１給湯用冷媒入口に備え、さらに、前記給湯用熱交換器出口温度測定手段を、前記給湯運転時に前記給湯用熱源側熱交換器からの前記給湯用冷媒の出口となる第１給湯用冷媒出口の近傍に備え、
前記制御装置は、前記給湯用冷媒流量調整弁の弁開度を調整して、前記給湯用熱源側熱交換器への前記給湯用冷媒の流入量を調整することを特徴とする請求の範囲第８項に記載の空調給湯システム。
【請求項１１】
前記給湯用冷媒流入量調整手段は給湯用冷媒流量調整弁であって、
前記中間熱交換器の前記給湯用冷媒に対する流路抵抗が、前記給湯用熱源側熱交換器の前記給湯用冷媒に対する流路抵抗より小さい場合の構成として、
前記給湯用冷媒流量調整弁を、前記給湯運転時に前記中間熱交換器への前記給湯用冷媒の入口となる第２給湯用冷媒入口に備え、さらに、前記給湯用熱交換器出口温度測定手段を、前記給湯運転時に前記中間熱交換器からの前記給湯用冷媒の出口となる第２給湯用冷媒出口の近傍に備え、
前記制御装置は、前記給湯用冷媒流量調整弁の弁開度を調整して、前記中間熱交換器への前記給湯用冷媒の流入量を調整することを特徴とする請求の範囲第７項に記載の空調給湯システム。
【請求項１２】
前記給湯用冷媒流入量調整手段は給湯用冷媒流量調整弁であって、
前記中間熱交換器の前記給湯用冷媒に対する流路抵抗が、前記給湯用熱源側熱交換器の前記給湯用冷媒に対する流路抵抗より小さい場合の構成として、
前記給湯用冷媒流量調整弁を、前記給湯運転時に前記中間熱交換器への前記給湯用冷媒の入口となる第２給湯用冷媒入口に備え、さらに、前記給湯用熱交換器出口温度測定手段を、前記給湯運転時に前記中間熱交換器からの前記給湯用冷媒の出口となる第２給湯用冷媒出口の近傍に備え、
前記制御装置は、前記給湯用冷媒流量調整弁の弁開度を調整して、前記中間熱交換器への前記給湯用冷媒の流入量を調整することを特徴とする請求の範囲第８項に記載の空調給湯システム。
【請求項１３】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器と、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備えてなる空調給湯システムの制御方法であって、
前記制御装置が前記空調サイクルでの冷房運転と、前記給湯サイクルでの給湯運転と、を同時に実行する場合に、
前記空調用冷媒回路における空調放熱量と、前記給湯用冷媒回路における給湯吸熱量を演算するステップと、
前記空調放熱量と前記給湯吸熱量を比較するステップと、
前記空調放熱量が前記給湯吸熱量より大きいときに、給湯用冷媒遮断手段によって前記給湯用熱源側熱交換器への前記給湯用冷媒の流入を遮断するステップと、
前記空調放熱量が前記給湯吸熱量より大きいときに、前記空調用熱交換器出口温度に基づいて前記空調用冷媒流入量調整手段を制御して前記空調用熱源側熱交換器又は前記中間熱交換器への前記空調用冷媒の流入量を調整するステップと、を有することを特徴とする空調給湯システムの制御方法。
【発明の詳細な説明】
【技術分野】
【０００１】
本発明は、空調用冷媒回路と給湯用冷媒回路が、中間熱交換器を介して互いに熱交換可能に接続されて空調サイクルと給湯サイクルの二元冷凍サイクルが形成されている多熱源の空調給湯システム及び空調給湯システムの制御方法に関する。
【背景技術】
【０００２】
空調用冷媒回路と、給湯用冷媒回路とが中間熱交換器を介して熱交換可能に接続され、冷房運転と暖房運転が可能な空調サイクルと給湯運転が可能な給湯サイクルからなる多熱源の二元冷凍サイクルを有する空調給湯システムは広く知られている（例えば、特許文献１、２参照）。
特許文献１には、高温出力を行う高温サイクル（給湯サイクル）と、中温出力又は低温出力を行う中温サイクル（空調サイクル）とを備え、高温サイクルの蒸発器と中温サイクルの凝縮器とが熱交換可能に構成されたヒートポンプシステムが開示されている。特許文献１に開示される技術によると、中温サイクルの排熱を高温サイクルで有効に利用するように運転（排熱回収運転）でき、経済的な運転が可能になる。【０００３】
また特許文献２には、冷暖房運転、給湯運転、蓄冷運転、冷暖房給湯運転等が可能な空気調和装置が開示されている。特許文献２に開示される技術によると、複数の切替え弁や膨張弁を備えることによって前記各運転を切り替えることができる。特許文献２に開示される技術によると、各運転を効率よく切り替えることができる。
【先行技術文献】
【特許文献】
【０００４】
【特許文献１】特開平４−３２６６９号公報
【特許文献２】特開２００５−２９９９３５号公報
【発明の概要】
【発明が解決しようとする課題】
【０００５】
しかしながら、特許文献１に開示されるヒートポンプシステムでは、中温サイクルの排熱量が高温サイクルでの吸熱量より多いときのみ、中温サイクルの排熱を高温サイクルの熱源として利用できる。換言すると、中温サイクルの負荷（空調負荷）が高い場合に限って中温サイクルの排熱を高温サイクルの熱源に利用でき、排熱回収運転が実行できる。
例えば、断熱性能の高い空間や居住者が少ない空間など、内部発熱の少ない空間を空調するための空調運転や、夜間など外気温の低い状態での空調運転では空調負荷が低くなる場合があり、このような場合に高温サイクルの負荷（給湯負荷）が空調負荷を上回ることがある。
特許文献１に開示される技術では、このような場合に中温サイクルの排熱のみで高温サイクルを要求通りに運転できないという問題がある。【０００６】
また、特許文献２に開示される空気調和装置は、メインサイクル（空調サイクル）の排熱を回収するカスケードコンデンサ（中間熱交換器）と、メインサイクルの室外の熱交換器（空調用熱源側熱交換器）とが並列に配置され、カスケードコンデンサと室外の熱交換器を同時に運転することで、メインサイクルの排熱をカスケードコンデンサで回収してサブサイクル（給湯サイクル）に熱を受け渡して排熱回収運転ができるように構成される。
冷房運転されるメインサイクルの排熱をカスケードコンデンサで回収してサブサイクルの熱源として利用するためには、熱量の大きいメインサイクルの排熱のうちの必要な熱量をカスケードコンデンサで回収し、余剰の熱量を室外の排熱用の熱交換器から排熱する必要がある。つまり、メインサイクルで熱を含んで流通する冷媒を、カスケードコンデンサと室外の熱交換器（排熱用の熱交換器）へ好適に分配する必要がある。
しかしながら、特許文献２には、メインサイクルで、カスケードコンデンサと室外の熱交換器へ、冷媒を好適に分配する技術については開示されていない。【０００７】
そこで本発明は、排熱回収運転時に、熱量の大きなサイクルにおける冷媒を、排熱回収用の熱交換器と、排熱用の熱交換器とに好適に分配可能な空調給湯システム及び空調給湯システムの制御方法を提供することを課題とする。
【課題を解決するための手段】
【０００８】
前記課題を解決するため本発明は、空調用冷媒が循環して空調サイクルを形成する空調用冷媒回路と、給湯用冷媒が循環して給湯サイクルを形成する給湯用冷媒回路と、制御装置と、を備えるとともに、前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムとする。そして、前記空調サイクルでの冷房運転時に、前記空調用熱源側熱交換器又は前記中間熱交換器への前記空調用冷媒の流入量を調整する空調用冷媒流入量調整手段と、前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、前記制御装置は、前記空調サイクルでの冷房運転と、前記給湯サイクルでの給湯運転と、を同時に実行する場合に、前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、前記空調放熱量が前記給湯吸熱量より大きいとき、給湯用冷媒遮断手段によって前記給湯用熱源側熱交換器への前記給湯用冷媒の流入を遮断するとともに、前記空調用熱交換器出口温度に基づいて前記空調用冷媒流入量調整手段を制御して、前記空調用熱源側熱交換器又は前記中間熱交換器への前記空調用冷媒の流入量を調整することを特徴とする。
【発明の効果】
【０００９】
本発明によると、排熱回収運転時に、熱量の大きなサイクルにおける冷媒を、排熱回収用の熱交換器と、排熱用の熱交換器とに好適に分配可能な空調給湯システム及び空調給湯システムの制御方法を提供できる。
【図面の簡単な説明】
【００１０】
【図１】本実施形態に係る空調給湯システムの系統図である。
【図２】空調給湯システムの運転モードの状態を示す図である。
【図３】第１運転状態で排熱回収運転する空調給湯システムを示す図である。
【図４】第２運転状態で排熱回収運転する空調給湯システムを示す図である。
【図５】第３運転状態で排熱回収運転する空調給湯システムを示す図である。
【図６】排熱回収運転の手順を示すフローチャートである。
【図７】第１運転状態での排熱回収運転の手順を示すフローチャートである。
【図８】第２運転状態での排熱回収運転の手順を示すフローチャートである。
【図９】第３運転状態での排熱回収運転の手順を示すフローチャートである。
【図１０】中間熱交換器に冷媒流量調整弁を備えた実施の形態に係る空調給湯システムを示す図である。
【発明を実施するための形態】
【００１１】
以下、本発明の実施形態について、適宜図を参照して詳細に説明する。
【００１２】
図１に示すように、本実施形態に係る空調給湯システム１００は、空調用圧縮機２１を駆動して冷房運転と暖房運転とを切り替えて運転を行う空調用冷媒回路５と、給湯用圧縮機４１を駆動して給湯運転を行う給湯用冷媒回路６と、空調用冷媒回路５と熱交換して、住宅６０の室内の空調を行う空調用冷温水循環回路８と、給湯用冷媒回路６と熱交換して給湯を行う給湯流路９と、各運転を制御する制御装置１ａとを備える。そして、空調用冷媒回路５と給湯用冷媒回路６とが、排熱回収用の熱交換器である中間熱交換器２３を介して熱的に接続されて空調サイクルと給湯サイクルの二元冷凍サイクルが形成されたシステムである。
以下、冷房運転及び暖房運転とは、空調用冷媒回路５を含んで構成される空調サイクルの冷房運転及び暖房運転を示す。また、給湯運転とは給湯用冷媒回路６を含んで構成される給湯サイクルの給湯運転を示す。
【００１３】
この空調給湯システム１００は、住宅６０の屋外に配置されるヒートポンプユニット１と室内に配置される室内ユニット２を含んで構成される。
ヒートポンプユニット１には、空調用冷媒回路５、給湯用冷媒回路６、空調用冷温水循環回路８、給湯流路９、及び制御装置１ａが組み込まれている。
また、室内ユニット２には、住宅６０の室内空気と空調用冷温水循環回路８を流れる冷温水との間で熱交換を行う室内熱交換器６１が備わっている。
【００１４】
空調用冷媒回路５は、空調用の冷媒（以下、空調用冷媒）が循環することによって冷凍サイクル（空調サイクル）が形成される回路であり、空調用冷媒を圧縮する空調用圧縮機２１、空調用冷媒の流路を切り替える四方弁（空調用流路切替弁）２２、給湯用冷媒回路６を循環する冷媒（以下、給湯用冷媒）と空調用冷媒との間で熱交換を行う中間熱交換器２３、空調用冷媒タンク２６、空調用冷媒を減圧する空調用膨張弁２７、及び空調用冷温水循環回路８を循環する空調用冷温水と空調用冷媒回路５を循環する空調用冷媒との間で熱交換を行う空調用利用側熱交換器２８が冷媒配管で環状に接続された空調用冷媒メイン回路５ａに、空調用室外ファン２５によって送風される大気と空調用冷媒との間で熱交換を行って排熱する空調用熱源側熱交換器２４が接続された構成となっている。
【００１５】
なお、図１では、空調用冷媒回路５を循環する空調用冷媒と空調用冷温水循環回路８を循環する空調用冷温水が熱交換し、さらに、空調用冷温水と住宅６０の室内空気が室内熱交換器６１で熱交換する構成としたが、空調用冷温水循環回路８を備えず、空調用冷媒と住宅６０の室内空気が直接熱交換する構成であってもよい。
【００１６】
空調用冷媒回路５をより詳細に説明すると、空調用熱源側熱交換器２４は、空調用冷媒メイン回路５ａの四方弁２２と空調用膨張弁２７の間の位置に、中間熱交換器２３と並列になるように冷媒配管によって接続され、空調用熱源側熱交換器２４の出入口には、それぞれ空調用冷媒の流量を制御する第１制御弁３５ｃ、及び第２制御弁３５ｄが配設されている。
空調用熱源側熱交換器２４の符号２４ａは、冷房運転時に空調用冷媒の入口となる冷房時空調用冷媒入口（第１空調用冷媒入口）、符号２４ｂは、冷房運転時に空調用冷媒の出口となる冷房時空調用冷媒出口（第１空調用冷媒出口）を示す。
なお、後記するように本実施形態に係る空調給湯システム１００において、空調用熱源側熱交換器２４の冷房時空調用冷媒入口２４ａ側に備わる第１制御弁３５ｃは、空調用熱源側熱交換器２４への空調用冷媒の流入量を調整する空調用冷媒流入量調整手段として使用されることから、以下、空調用冷媒流量調整弁３５ｃと称する。
因みに、空調サイクルでの暖房運転時は、空調用熱源側熱交換器２４における空調用冷媒の出入口は逆になる。
具体的には、空調サイクルでの暖房運転時、空調用熱源側熱交換器２４では冷房時空調用冷媒出口２４ｂが空調用冷媒の入口となり、冷房時空調用冷媒入口２４ａが空調用冷媒の出口となる。
なお、空調用冷媒回路５を循環する空調用冷媒には、Ｒ４１０ａ、Ｒ１３４ａ、ＨＦＯ１２３４ｙｆ、ＨＦＯ１２３４ｚｅ、ＣＯ２、プロパンの中から使用条件に適した冷媒が用いられる。
【００１７】
次に、前記した空調用冷媒回路５に備わる各機器について説明する。
空調用圧縮機２１は、容量制御が可能な可変容量型の圧縮機が好ましい。このような圧縮機として、ピストン式、ロータリー式、スクロール式、スクリュー式、遠心式のものが採用可能である。本実施形態において空調用圧縮機２１は、スクロール式の圧縮機とし、インバータ制御によって容量制御が可能で、低速から高速まで回転速度が可変となる。
【００１８】
空調用利用側熱交換器２８には、図示しないが、空調用冷媒が流通する空調用伝熱管と水もしくはブライン等の不凍液（空調用利用側の熱搬送媒体）が流れる空調用冷温水伝熱管とが熱的に接触するように構成されたものや、プレート式熱交換器等が利用可能である。
空調用冷媒タンク２６は、空調用冷媒回路５の流路の切替によって変化する空調用冷媒の循環量を調整する受液器として機能する。
また、空調用膨張弁２７は、減圧装置として作用するとともに、弁開度の調整によって空調用冷媒の圧力を所定の圧力まで減圧する機能を有する。
【００１９】
空調用冷温水循環回路８は、空調用冷媒回路５を循環する冷媒と熱交換する水（空調用利用側の熱搬送媒体）が流通する回路であり、四方弁５３と空調用冷温水循環ポンプ５２と住宅６０に設置された室内熱交換器６１とを、開閉弁５４ａを有する空調用冷温水配管５５ａで接続し、室内熱交換器６１と四方弁５３とを、開閉弁５４ｂを有する空調用冷温水配管５５ｂで接続し、四方弁５３と空調用利用側熱交換器２８とを空調用冷温水配管５５ｃで接続して、環状に形成された回路である。この空調用冷温水循環回路８内を流れる水（冷水又は温水）は、室内熱交換器６１を介して住宅６０の室内空気と熱交換し、住宅６０内を冷房又は暖房する。ここで、空調用冷温水循環回路８内を流れる空調用利用側の熱搬送媒体として、水の代わりにエチレングリコールなどのブラインを用いてもよい。ブラインを用いると寒冷地でも適用できる。
【００２０】
なお、以下の説明において、空調用冷温水循環回路８を流通する水として「冷水」又は「温水」という語を使用するが、「冷水」は、冷房運転時に空調用冷温水循環回路８を流通する水を示し、「温水」は暖房運転時に空調用冷温水循環回路８を流通する水を示す。
【００２１】
給湯用冷媒回路６は、給湯用冷媒が循環することによって冷凍サイクル（給湯サイクル）が形成される回路であって、給湯用冷媒を圧縮する給湯用圧縮機４１、給湯流路９を流通する水（給湯）と給湯用冷媒との間で熱交換を行う給湯用利用側熱交換器４２、給湯用冷媒の量を調整する受液器として機能する給湯用冷媒タンク４６、給湯用冷媒を減圧する給湯用膨張弁４３、及び空調用冷媒回路５を循環する空調用冷媒と給湯用冷媒との間で熱交換を行う中間熱交換器２３を冷媒配管で環状に接続した給湯用冷媒メイン回路６ａに、給湯用室外ファン４５によって送風される大気と給湯用冷媒との間で熱交換を行って排熱する給湯用熱源側熱交換器４４が接続された構成となっている。
【００２２】
給湯用冷媒回路６をより詳細に説明すると、給湯用熱源側熱交換器４４は、給湯用冷媒メイン回路６ａの給湯用膨張弁４３と給湯用圧縮機４１の間の位置に、中間熱交換器２３と並列になるように冷媒配管によって接続され、給湯用熱源側熱交換器４４の出入口には、それぞれ給湯用冷媒の流量を制御する第３制御弁４９ａ及び第４制御弁４９ｃが配設されている。
給湯用熱源側熱交換器４４において、符号４４ａは給湯用冷媒入口（第１給湯用冷媒入口）、符号４４ｂは給湯用冷媒出口（第１給湯用冷媒出口）を示す。
なお、後記するように本実施形態に係る空調給湯システム１００において、給湯用熱源側熱交換器４４の給湯用冷媒入口４４ａ側に備わる第３制御弁４９ａは、給湯用熱源側熱交換器４４への給湯用冷媒の流入量を調整する給湯用冷媒流入量調整手段として使用されることから、以下、給湯用冷媒流量調整弁４９ａと称する。
なお、給湯用冷媒回路６を循環する給湯用冷媒には、Ｒ４１０ａ、Ｒ１３４ａ、ＨＦＯ１２３４ｙｆ、ＨＦＯ１２３４ｚｅ、ＣＯ２、プロパンの中から使用条件に適した冷媒が用いられる。
【００２３】
次に、前記した給湯用冷媒回路６に備わる各機器について説明する。
給湯用圧縮機４１は、空調用圧縮機２１と同様にインバータ制御によって容量制御が可能で、低速から高速まで回転速度が可変であることが好ましい。
給湯用利用側熱交換器４２は、図示しないが、給湯流路９に供給される水が流通する給湯用水伝熱管と、給湯用冷媒が流通する給湯用冷媒伝熱管とが熱的に接触するように構成されたものが利用可能である。
給湯用膨張弁４３は、弁開度の調整によって給湯用冷媒の圧力を所定の圧力まで減圧することができる。
【００２４】
また、空調用冷媒回路５の中間熱交換器２３の出入口には、それぞれ開閉弁３５ａ，３５ｂが備わっている。
なお、中間熱交換器２３の符号２３ａは、冷房運転時に空調用冷媒の入口となる冷房時空調用冷媒入口（第２空調用冷媒入口）、符号２３ｂは、冷房運転時に空調用冷媒の出口となる冷房時空調用冷媒出口（第２空調用冷媒出口）を示す。
また、中間熱交換器２３において、給湯運転時に給湯用冷媒の入口となる給湯用冷媒入口（第２給湯用冷媒入口）２３ｃに開閉弁４９ｂが配設され、給湯用冷媒の出口となる給湯用冷媒出口（第２給湯用冷媒出口）２３ｄに開閉弁４９ｄが配設される。
因みに、空調サイクルでの暖房運転時は、中間熱交換器２３における空調用冷媒の出入口は逆になる。
具体的に、空調サイクルでの暖房運転時、中間熱交換器２３では冷房時空調用冷媒出口２３ｂが空調用冷媒の入口となり、冷房時空調用冷媒入口２３ａが空調用冷媒の出口となる。
さらに、中間熱交換器２３の空調用冷媒流路は、給湯用冷媒回路６を循環する給湯用冷媒が効率よく吸熱できるような流路構造やパス構成であることが望ましいため、流路抵抗が、空調用熱源側熱交換器２４より大きくなる場合がある。
同様に、中間熱交換器２３の給湯用冷媒流路は、空調用冷媒回路５を循環する空調用冷媒が効率よく放熱できるような流路構造やパス構成であることが望ましいため、流路抵抗が、給湯用熱源側熱交換器４４より大きくなる場合がある。
このため、空調用熱源側熱交換器２４及び給湯用熱源側熱交換器４４は、中間熱交換器２３より、冷媒（空調用冷媒、給湯用冷媒）が流通しやすい構成となっている。
【００２５】
給湯流路９は、給湯用利用側の熱搬送媒体としての水が流通する流路であり、給湯用利用側熱交換器４２の水側入口４２ａと給水口７８を給湯用配管７２で接続し、給湯用利用側熱交換器４２の水側出口４２ｂと給湯口７９を給湯用配管７３で接続して形成された流路である。給湯用配管７３には、貯湯タンク７０が備わり、給水口７８から供給された水は、給湯用利用側熱交換器４２で給湯用冷媒と熱交換して加熱され、湯になった後に貯湯タンク７０に貯湯される。
そして、貯湯タンク７０に貯湯された湯は、給湯口７９から給湯負荷側（浴槽、洗面所、台所等）へ給湯される。また、貯湯タンク７０の底部には、ドレン配管７１ａとドレン弁７１ｂが設けられている。ドレン弁７１ｂは通常は閉弁しており、制御装置１ａからの指令に基づいて開弁し、貯湯タンク７０内に貯湯されている湯がドレン配管７１ａを流通して外部に排出されるように構成される。なお、給湯流路９には、水や湯の流量を検知する流量センサ（図示せず）が備わっている。
【００２６】
また、空調給湯システム１００は、複数の温度センサＴＨ１〜ＴＨ２３を備えている。具体的に、給湯流路９を流通する水や湯の温度を測定するため、給湯用利用側熱交換器４２の水側入口４２ａに温度センサＴＨ２が備わり、さらに、給水口７８に温度センサＴＨ１がそれぞれ備わっている。
また、空調用冷温水循環回路８を流通する冷温水の温度を測定するため、暖房運転時における空調用利用側熱交換器２８の水の入口（暖房時水側入口２８ａ）に温度センサＴＨ４が、暖房運転時における空調用利用側熱交換器２８の水の出口（暖房時水側出口２８ｂ）に温度センサＴＨ３が、室内熱交換器６１の冷媒出口６１ｂに温度センサＴＨ５が、それぞれ備わっている。なお、符号６１ａは、室内熱交換器６１の冷媒入口である。
【００２７】
また、給湯用冷媒回路６を流通する給湯用冷媒の温度を測定するために、給湯用圧縮機４１の吸込口４１ａと吐出口４１ｂに温度センサＴＨ６、ＴＨ７がそれぞれ備わり、給湯用膨張弁４３の出口に温度センサＴＨ８が備わっている。さらに、給湯用熱源側熱交換器４４の給湯用冷媒出口４４ｂに温度センサＴＨ９、中間熱交換器２３の給湯用冷媒出口２３ｄに温度センサＴＨ１０がそれぞれ備わっている。
【００２８】
また、空調用冷媒回路５を流通する空調用冷媒の温度を測定するために、空調用圧縮機２１の吸込口２１ａと吐出口２１ｂに温度センサＴＨ１１、ＴＨ１２がそれぞれ備わり、中間熱交換器２３の冷房時空調用冷媒入口２３ａに温度センサＴＨ１３、冷房時空調用冷媒出口２３ｂに温度センサＴＨ１４がそれぞれ備わっている。さらに、冷房運転時における空調用膨張弁２７の出口に温度センサＴＨ１７、空調用熱源側熱交換器２４の冷房時空調用冷媒入口２４ａに温度センサＴＨ１５、冷房時空調用冷媒出口２４ｂに温度センサＴＨ１６、冷房運転時における空調用利用側熱交換器２８の空調用冷媒出口となる冷房時空調用冷媒出口２８ｄに温度センサＴＨ１８が、それぞれ備わっている。なお、符号２８ｃは、冷房運転時に空調用利用側熱交換器２８への空調用冷媒の入口となる冷房時空調用冷媒入口を示す。
【００２９】
また、本実施形態に係る空調給湯システム１００には、外気温度を測定する温度センサＴＨ１９、住宅６０の室内温度を測定する温度センサＴＨ２０、及び貯湯タンク７０内に貯湯された湯の温度を測定する温度センサＴＨ２１も備わっている。
【００３０】
さらに、空調用圧縮機２１には回転速度を検出する回転速度検知センサＲＡが備わり、給湯用圧縮機４１には回転速度を検出する回転速度検知センサＲＨが備わっている。
そして、空調用膨張弁２７には弁開度を検出する弁開度検知センサＰＡが備わり、給湯用膨張弁４３には弁開度を検出する弁開度検知センサＰＨが備わっている。
【００３１】
また、本実施形態に係る空調給湯システム１００の空調用熱源側熱交換器２４には、冷房時空調用冷媒出口２４ｂ近傍における空調用冷媒の温度を測定する空調用熱交換器出口温度測定手段として、温度センサＴＨ２２が備わっている。ここでいう近傍は、空調用熱源側熱交換器２４内を空調用冷媒が流通する経路において、経路の中間点より冷房時空調用冷媒出口２４ｂに近い位置を示す。
そして、温度センサＴＨ２２が測定する空調用冷媒の温度を、空調用熱源側熱交換器２４の空調用熱交換器出口温度とする。
同様に給湯用熱源側熱交換器４４には、給湯用冷媒出口４４ｂ近傍における給湯用冷媒の温度を測定する給湯用熱交換器出口温度測定手段として、温度センサＴＨ２３が備わっている。ここでいう近傍は、給湯用熱源側熱交換器４４内を給湯用冷媒が流通する経路において、経路の中間点より給湯用冷媒出口４４ｂに近い位置を示す。
そして、温度センサＴＨ２３が測定する給湯用冷媒の温度を、給湯用熱源側熱交換器４４の給湯用熱交換器出口温度とする。
【００３２】
制御装置１ａは、リモコン（図示せず）からの指令信号、温度センサＴＨ１〜ＴＨ２３、回転速度検知センサＲＡ，ＲＨ、弁開度検知センサＰＡ，ＰＨからの検知信号が入力されるように構成される。そして、制御装置１ａは、これらの入力信号に基づいて空調用圧縮機２１及び給湯用圧縮機４１の運転や停止、四方弁２２や５３の切替え、空調用膨張弁２７及び給湯用膨張弁４３弁開度の設定、空調用冷媒流量調整弁３５ｃ、第２制御弁３５ｄ、給湯用冷媒流量調整弁４９ａ、第４制御弁４９ｃの弁開度の設定、空調用冷温水循環ポンプ５２の駆動や停止、開閉弁３５ａ，３５ｂ，４９ｂ，４９ｄ，５４ａ，５４ｂの開閉、その他の空調給湯システム１００の運転に必要な制御を実行する。
【００３３】
例えば、本実施形態に係る空調給湯システム１００では、中間熱交換器２３を介して空調用冷媒回路５を流通する空調用冷媒と給湯用冷媒回路６を流通する給湯用冷媒とで熱交換を行いながら、空調サイクルで冷房運転し、給湯サイクルで給湯運転する「排熱回収運転」が可能である。
【００３４】
基本的に、空調給湯システム１００は、排熱回収運転時に図２に示す「第１運転状態」に設定される。すなわち、給湯サイクルにおいて給湯用圧縮機４１が運転され、給湯用利用側熱交換器４２が凝縮器として使用され、給湯用熱源側熱交換器４４が不使用であり、中間熱交換器２３が蒸発器として使用される。一方、空調サイクルでは空調用圧縮機２１が運転され、空調用利用側熱交換器２８が蒸発器として使用され、空調用熱源側熱交換器２４が不使用であり、中間熱交換器２３が凝縮器として使用される。
【００３５】
図３〜５を参照して、排熱回収運転における冷媒（空調用冷媒、給湯用冷媒）の流れ及び空調用冷温水循環回路８を流通する水（熱搬送媒体）の流れを説明する。
なお、図３〜５において、熱交換器（中間熱交換器２３、空調用利用側熱交換器２８、空調用熱源側熱交換器２４、給湯用利用側熱交換器４２、給湯用熱源側熱交換器４４）に付された太矢印は熱の流れを示しており、各回路（空調用冷媒回路５、給湯用冷媒回路６、空調用冷温水循環回路８、給湯流路９）に付された矢印は、冷媒（空調用冷媒、給湯用冷媒）または流体（水、湯）が各回路を流通する方向を示している。また、白色の開閉弁（３５ａ，３５ｂ，４９ｂ，４９ｄ）及び白色の流量制御弁（空調用冷媒流量調整弁３５ｃ、第２制御弁３５ｄ、給湯用冷媒流量調整弁４９ａ、第４制御弁４９ｃ）は開弁した状態、黒色の開閉弁及び黒色の流量制御弁は閉弁した状態を示している。また、四方弁（２２，５３）においては、実線で示された円弧が冷媒及び流体の流路を示している。また、室外ファン（空調用室外ファン２５、給湯用室外ファン４５）は、白色の場合は運転中であることを示し、黒色の場合は停止中であることを示している。そして、破線で示される熱交換器（中間熱交換器２３、空調用熱源側熱交換器２４、給湯用熱源側熱交換器４４）は、不使用の熱交換器、すなわち、冷媒が流通しない熱交換器を示し、実線で示される熱交換器は使用される熱交換器、すなわち、冷媒が流通する熱交換器を示している。
【００３６】
空調給湯システム１００を排熱回収運転するとき、制御装置１ａは、図３に示すように、空調給湯システム１００を「第１運転状態」に設定する。すなわち、制御装置１ａは、空調用圧縮機２１の吐出口２１ｂから吐出された高温高圧のガス冷媒が中間熱交換器２３に流入するとともに、空調用利用側熱交換器２８を流通した空調用冷媒が空調用圧縮機２１の吸込口２１ａに流入するように四方弁２２を切り替える。
さらに、制御装置１ａは、空調用冷媒流量調整弁３５ｃ及び第２制御弁３５ｄを閉弁するとともに空調用室外ファン２５を停止し、給湯用冷媒流量調整弁４９ａ及び第４制御弁４９ｃを閉弁するとともに給湯用室外ファン４５を停止する。
空調用冷媒流量調整弁３５ｃの閉弁によって、空調用熱源側熱交換器２４への空調用冷媒の流入が遮断されることから、本実施形態において空調用冷媒流量調整弁３５ｃは、空調用熱源側熱交換器２４への空調用冷媒遮断手段として機能する。なお、空調用冷媒遮断手段として、空調用冷媒流量調整弁３５ｃの他に図示しない遮断弁が冷房時空調用冷媒入口２４ａに備わる構成であってもよい。
同様に、給湯用冷媒流量調整弁４９ａの閉弁によって、給湯用熱源側熱交換器４４への給湯用冷媒の流入が遮断されることから、本実施形態において給湯用冷媒流量調整弁４９ａは、給湯用熱源側熱交換器４４への給湯用冷媒遮断手段として機能する。なお、給湯用冷媒遮断手段として、給湯用冷媒流量調整弁４９ａの他に図示しない遮断弁が給湯用冷媒入口４４ａに備わる構成であってもよい。
さらに、制御装置１ａは、開閉弁３５ａ，３５ｂ，４９ｂ，４９ｄを開弁する。
なお、制御装置１ａは、必要に応じて空調用冷媒流量調整弁３５ｃ及び第２制御弁３５ｄを開弁して空調用室外ファン２５を運転し、給湯用冷媒流量調整弁４９ａ及び第４制御弁４９ｃを開弁して給湯用室外ファン４５を運転するが、その詳細は後記する。
【００３７】
空調用圧縮機２１から吐出された高温高圧のガス冷媒は中間熱交換器２３に流入し、低温の給湯用冷媒へ放熱して凝縮して液化する。この高圧の液冷媒は、空調用タンク２６を流れた後に所定の開度で開弁している空調用膨張弁２７で減圧、膨張し、低温低圧の気液二相冷媒となり、空調用利用側熱交換器２８に流入する。空調用利用側熱交換器２８内を流れる気液二相冷媒は、空調用冷温水循環回路８を流通する相対的に高温の冷水から吸熱して蒸発し、低圧のガス冷媒となる。この低圧のガス冷媒は四方弁２２を経由して空調用圧縮機２１の吸込口２１ａに流入し、空調用圧縮機２１によって再度圧縮されて高温高圧のガス冷媒となる。
【００３８】
空調用冷温水循環回路８では、空調用利用側熱交換器２８を流れる空調用冷媒に放熱した冷水が空調用冷温水循環ポンプ５２によって空調用冷温水配管５５ａを流通し、室内熱交換器６１に流入する。室内熱交換器６１では、空調用冷温水循環回路８内の冷水と住宅６０の室内の高温の空気とで熱交換が行われ、住宅６０の空気が冷却される。つまり、住宅６０の室内が冷房される。このとき、室内熱交換器６１を流れる冷水は、住宅６０の室内の空気から吸熱して昇温する。この昇温された冷水は空調用冷温水ポンプ５２によって空調用冷温水配管５５ｂ，５５ｃを流通し、再度、空調用利用側熱交換器２８で空調用冷媒に放熱して冷却される。
【００３９】
給湯用冷媒回路６では、給湯用圧縮機４１で圧縮され高温高圧となったガス冷媒が給湯用利用側熱交換器４２に流入する。給湯用利用側熱交換器４２内を流れる高温高圧のガス冷媒は、給湯流路９内を流れる水に放熱して凝縮し、液化する。そして、液化した高圧の液冷媒は、給湯用冷媒タンク４６を流れた後に所定の開度で開弁している給湯用膨張弁４３で減圧、膨張して低温低圧の気液二相冷媒となる。この気液二相冷媒は、中間熱交換器２３を流れる間に、中間熱交換器２３を流れる高温の空調用冷媒から吸熱して蒸発し、低圧のガス冷媒となる。この低圧のガス冷媒は、給湯用圧縮機４１の吸込口４１ａに流入し、給湯用圧縮機４１によって再度圧縮されて高温高圧のガス冷媒となる。
【００４０】
給湯流路９では、給水口７８に流入した水が給湯用配管７２内を流通して給湯用利用側熱交換器４２に流入する。そして、給湯用利用側熱交換器４２で、給湯用冷媒回路６を流通する給湯用冷媒から吸熱して、高温の水（湯）となる。この湯は、給湯用配管７３を流通して貯湯タンク７０に貯湯され、利用者の要求に応じて給湯口７９から給湯される。
【００４１】
このように、排熱回収運転では空調給湯システム１００が「第１運転状態」に設定される。そして、空調用冷媒回路５を流通する空調用冷媒が住宅６０の室内から回収した熱は中間熱交換器２３を介して給湯用冷媒回路６を流通する給湯用冷媒に吸熱された後、給湯用利用側熱交換器４２を介して給湯用配管７２を流通する水に伝熱される。この運転により、住宅６０の室内から回収した熱を給湯用配管７２を流通する水の加熱源として利用することが可能となる。
【００４２】
しかしながら、空調用冷媒回路５を流通する空調用冷媒が中間熱交換器２３及び空調用熱源側熱交換器２４で放熱する熱量（以下、空調放熱量と称する）は、住宅６０の室内から室内熱交換器６１が回収する熱量であるため、住宅６０の室内温度として利用者が設定する温度や外気温度等によって決定される。
一方、給湯用配管７２を流通する水の沸き上げに必要とする熱量（以下、給湯吸熱量と称する）は、貯湯タンク７０に貯湯する湯の湯温として利用者が設定する温度や給水口７８から供給される水の水温等によって決定される。したがって、空調放熱量と給湯吸熱量が一致しない場合がある。
【００４３】
例えば、空調サイクルにおいて冷房負荷が高い場合のように空調放熱量が給湯吸熱量より大きい場合（空調放熱量＞給湯吸熱量）、空調用冷媒回路５を流通する空調用冷媒の全てが中間熱交換器２３を流通すると、給湯用冷媒回路６を流通する給湯用冷媒を介して給湯用配管７２を流通する水に供給される熱量が過剰になる。したがって、空調放熱量が給湯吸熱量より大きい場合、空調用冷媒回路５を流通する空調用冷媒が中間熱交換器２３と空調用熱源側熱交換器２４とに分配されて、空調用冷媒が中間熱交換器２３で放熱する熱量が給湯吸熱量と等しくなるように空調給湯システム１００が制御される構成が好ましい。
【００４４】
そこで、排熱回収運転されるときに空調放熱量が給湯吸熱量より大きい場合、制御装置１ａは、空調用熱源側熱交換器２４を凝縮器として使用するように、空調給湯システム１００を図２に示す「第２運転状態」に設定する。
具体的に制御装置１ａは、図４に示すように空調用冷媒流量調整弁３５ｃ及び第２制御弁３５ｄを開弁するとともに、空調用室外ファン２５を運転する。さらに、給湯用冷媒流量調整弁４９ａ及び第４制御弁４９ｃを閉弁するとともに給湯用室外ファン４５を停止する。
【００４５】
空調給湯システム１００が「第２運転状態」に設定されると、空調用冷媒回路５では空調用圧縮機２１の吐出口２１ｂから吐出された高温高圧のガス冷媒が四方弁２２を経由して中間熱交換器２３及び空調用熱源側熱交換器２４に流入する。中間熱交換器２３を流れる高温高圧のガス冷媒は中間熱交換器２３内で給湯用冷媒へ放熱して凝縮し液化する。一方、空調用熱源側熱交換器２４に流入する高温高圧のガス冷媒は大気へ放熱して凝縮し液化する。そして、中間熱交換器２３及び空調用熱源側熱交換器２４で液化した高圧の液冷媒は空調用冷媒タンク２６を流れた後に所定の開度で開弁している空調用膨張弁２７で減圧、膨張し、低温低圧の気液二相冷媒となり、空調用利用側熱交換器２８に流入する。空調用利用側熱交換器２８内を流れる気液二相冷媒は、空調用冷温水循環回路８を流通する相対的に高温の冷水から吸熱して蒸発し、低圧のガス冷媒となる。この低圧のガス冷媒は四方弁２２を経由して空調用圧縮機２１の吸込口２１ａに流入し、空調用圧縮機２１によって再度圧縮されて高温高圧のガス冷媒となる。
【００４６】
一方、給湯用冷媒回路６では、給湯用圧縮機４１の吐出口４１ｂから吐出された高温高圧のガス冷媒は給湯用利用側熱交換器４２に流入する。給湯用利用側熱交換器４２内を流れる高温高圧のガス冷媒は、給湯流路９内を流れる水に放熱して凝縮し、液化する。そして、液化した高圧の液冷媒は、給湯用冷媒タンク４６を流れた後に所定の開度で開弁している給湯用膨張弁４３で減圧、膨張して低温低圧の気液二相冷媒となる。この気液二相冷媒は中間熱交換器２３を流れる間に、中間熱交換器２３を流れる高温の空調用冷媒から吸熱して蒸発し、低圧のガス冷媒となる。この低圧のガス冷媒は、給湯用圧縮機４１の吸込口４１ａに流入し、給湯用圧縮機４１によって再度圧縮されて高温高圧のガス冷媒となる。
【００４７】
このように、空調放熱量が給湯吸熱量より大きい場合、制御装置１ａは排熱回収運転するときに、空調用冷媒流量調整弁３５ｃ及び第２制御弁３５ｄを開弁するとともに空調用室外ファン２５を運転し、空調放熱量の一部を空調用熱源側熱交換器２４で大気に放熱することによって、給湯用配管７２を流通する水に供給される熱量が過剰になることを回避する。
【００４８】
ここで、空調用冷媒回路５の凝縮温度「Ｔｃａ」は、室外空気へ放熱しなければならないため、室外空気温度「Ｔａｏ」よりも高温でなければならない。一方、排熱回収運転では中間熱交換器２３の中で給湯用冷媒回路６を流通する給湯用冷媒と、空調用冷媒回路５を流通する空調用冷媒が熱交換して、吸・放熱を行うため、空調用冷媒回路５の凝縮温度「Ｔｃａ」は、給湯用冷媒回路６の蒸発温度「Ｔｅｅ」よりも高温でなければならない。つまり、排熱回収運転では、空調用熱源側熱交換器２４と中間熱交換器２３で、「Ｔｃａ＞Ｔａｏ」、かつ、「Ｔｃａ＞Ｔｅｅ」の条件が満足されなければ、空調用冷媒回路５の放熱量（空調放熱量）が不足してしまうことになる。
【００４９】
例えば、「Ｔａｏ＜＜Ｔｅｅ」のために「Ｔｃａ≒Ｔａｏ」となり、空調用熱源側熱交換器２４で放熱量不足になる場合や、「Ｔａｏ＜＜Ｔｅｅ」のために「Ｔｃａ≒Ｔｅｅ」となり、中間熱交換器２３で吸・放熱量不足となる場合等が挙げられる。
このとき、空調用冷媒は放熱不足もしくは放熱不可能となり、中間熱交換器２３もしくは、空調用熱源側熱交換器２４から乾き度の高い空調用冷媒が流出する。この高い乾き度の空調用冷媒は比容積が大きいので空調用膨張弁２７を通過する際に流速が極めて高くなる。この結果、流動抵抗が増大し、流れが閉塞するような現象が生じ、空調給湯システム１００全体の動作を不安定にしてしまうといった問題が発生する。
【００５０】
そこで、空調放熱量が給湯吸熱量より大きい場合、制御装置１ａは、空調用熱源側熱交換器２４に流入する高温高圧のガス冷媒の全てが液化するような流量で、空調用熱源側熱交換器２４をガス冷媒が流通するように空調用冷媒流量調整弁３５ｃの弁開度を調整する。
そして制御装置１ａは、空調用熱源側熱交換器２４における空調用冷媒の温度に基づいて空調用冷媒流量調整弁３５ｃの弁開度を調整する。
具体的に、制御装置１ａは、空調用熱源側熱交換器２４（冷房時空調用冷媒出口２４ｂの近傍）に備わる温度センサＴＨ２２から受信するデータに基づいて演算される空調用冷媒の温度（空調用熱交換器出口温度）が、予め演算される、空調用冷媒回路５における凝縮温度（目標凝縮温度）となるように、空調用冷媒流量調整弁３５ｃの弁開度を調整する。
この構成によって、空調用熱源側熱交換器２４の放熱量不足から生じる流動抵抗の増大を防止し、流れの閉塞等の現象の発生を防止できる。
【００５１】
一方、給湯吸熱量が空調放熱量より大きい場合（給湯吸熱量＞空調放熱量）、空調用冷媒回路５を流通する空調用冷媒の全てが中間熱交換器２３に流通しても、給湯用冷媒回路６を流通する給湯用冷媒を介して給湯用配管７２を流通する水に供給される熱量が不足する。したがって、給湯吸熱量が空調放熱量より大きい場合、空調用冷媒回路５を流通する空調用冷媒の全てが中間熱交換器２３に流通し、空調用冷媒が有する熱量の全てが中間熱交換器２３で放熱されるように空調給湯システム１００が制御される構成が好ましい。
【００５２】
そのため、制御装置１ａは、給湯吸熱量が空調放熱量より大きい場合、給湯用熱源側熱交換器４４を蒸発器として使用するように、空調給湯システム１００を図２に示す「第３運転状態」に設定する。
具体的に制御装置１ａは、図５に示すように空調用冷媒流量調整弁３５ｃ及び第２制御弁３５ｄを閉弁するとともに、空調用室外ファン２５を停止する。さらに、給湯用冷媒流量調整弁４９ａ及び第４制御弁４９ｃを開弁するとともに給湯用室外ファン４５を運転する。
【００５３】
空調給湯システム１００が「第３運転状態」に設定されると、空調用冷媒回路５では空調用圧縮機２１の吐出口２１ｂから吐出された高温高圧のガス冷媒が四方弁２２を経由して中間熱交換器２３に流入する。中間熱交換器２３を流れる高温高圧のガス冷媒は中間熱交換器２３内で給湯用冷媒へ放熱して凝縮し液化する。そして、中間熱交換器２３で液化した高圧の液冷媒は空調用冷媒タンク２６を流れた後に所定の開度で開弁している空調用膨張弁２７で減圧、膨張し、低温低圧の気液二相冷媒となり、空調用利用側熱交換器２８に流入する。空調用利用側熱交換器２８内を流れる気液二相冷媒は、空調用冷温水循環回路８を流通する相対的に高温の冷水から吸熱して蒸発し、低圧のガス冷媒となる。この低圧のガス冷媒は四方弁２２を経由して空調用圧縮機２１の吸込口２１ａに流入し、空調用圧縮機２１によって再度圧縮されて高温高圧のガス冷媒となる。
【００５４】
一方、給湯用冷媒回路６では、給湯用圧縮機４１の吐出口４１ｂから吐出された高温高圧のガス冷媒は給湯用利用側熱交換器４２に流入する。給湯用利用側熱交換器４２内を流れる高温高圧のガス冷媒は、給湯流路９内を流れる水に放熱して凝縮し、液化する。そして、液化した高圧の液冷媒は、給湯用冷媒タンク４６を流れた後に所定の開度で開弁している給湯用膨張弁４３で減圧、膨張して低温低圧の気液二相冷媒となる。この気液二相冷媒の一部は中間熱交換器２３を流れる間に、中間熱交換器２３を流れる高温の空調用冷媒から吸熱して蒸発し、低圧のガス冷媒となる。この低圧のガス冷媒は、給湯用圧縮機４１の吸込口４１ａに流入し、給湯用圧縮機４１によって再度圧縮されて高温高圧のガス冷媒となる。
さらに、給湯用膨張弁４３で減圧、膨張し、中間熱交換器２３に流入しない低温低圧の気液二相冷媒は給湯用熱源側熱交換器４４に流入して給湯用室外ファン４５によって送風される相対的に高温の大気から吸熱して蒸発し、低圧のガス冷媒になって給湯用圧縮機４１の吸込口４１ａから流入して給湯用圧縮機４１によって再度圧縮されて高温高圧のガス冷媒となる。
【００５５】
このように、給湯吸熱量が空調放熱量より大きい場合、給湯用冷媒回路６を流通する給湯用冷媒の一部は給湯用熱源側熱交換器４４で吸熱して蒸発するが、前記したように、給湯用熱源側熱交換器４４は、中間熱交換器２３より給湯用冷媒が流通しやすく構成されるため、給湯用熱源側熱交換器４４に多くの給湯用冷媒が流れ込み、中間熱交換器２３における空調用冷媒と給湯用冷媒の熱交換量が所望する熱量より小さくなる。
【００５６】
そこで、給湯吸熱量が空調放熱量より大きい場合、制御装置１ａは、給湯用熱源側熱交換器４４に流入する高温高圧のガス冷媒の全てが気化するような流量で、給湯用熱源側熱交換器４４をガス冷媒が流通するように給湯用冷媒流量調整弁４９ａの弁開度を調整する。
そして制御装置１ａは、給湯用熱源側熱交換器４４における給湯用冷媒の温度に基づいて給湯用冷媒流量調整弁４９ａの弁開度を調整する。
具体的に、制御装置１ａは、給湯用熱源側熱交換器４４に備わる温度センサＴＨ２３から受信するデータに基づいて演算される給湯用冷媒の温度（給湯用熱交換器出口温度）が、予め演算される、給湯用冷媒回路６における蒸発温度（目標蒸発温度）となるように、給湯用冷媒流量調整弁４９ａの弁開度を調整する。
この構成によって、中間熱交換器２３において、空調用冷媒と給湯用冷媒とで所望の熱量を熱交換させることができる。
【００５７】
制御装置１ａが空調給湯システム１００を排熱回収運転するときの手順を、図６を参照して説明する（適宜図１〜５参照）。
なお、制御装置１ａは、例えば、利用者が操作するリモコン（図示せず）からの指令信号を受信したときに、空調給湯システム１００の排熱回収運転を開始するように構成される。例えば、利用者が住宅６０の室内に入室してリモコン操作によって図示しない空調装置の冷房運転（空調サイクルの冷房運転）を開始する場合、給湯サイクルで給湯運転しているときに制御装置１ａが排熱回収運転を開始するように構成される。
または、空調サイクルで冷房運転している場合に、利用者の操作等によって給湯サイクルでの給湯運転を開始するとき、制御装置１ａが排熱回収運転を開始するように構成される。
その他、予め組み込まれている動作プログラムに基づいて、例えば、予め設定されている所定時刻に制御装置１ａが空調給湯システム１００の排熱回収運転を自動的に開始する構成であってもよい。
【００５８】
排熱回収運転を開始すると制御装置１ａは、空調用冷媒流量調整弁３５ｃ、第２制御弁３５ｄ、給湯用冷媒流量調整弁４９ａ、及び第４制御弁４９ｃを閉弁し（ステップＳ１）、その後、各種データの受信処理を行う（ステップＳ２）。具体的に、制御装置１ａは、給湯サイクルにおける目標湯温（沸き上げ温度）、目標湯量（流量）、及び給水口７８から給水される水の水温（給水温度）を示すデータを受信する。また、空調サイクルにおける目標温度（設定室温）、目標風量、及び室内温度を示すデータを受信する。
給湯サイクルの目標湯温及び目標湯量を示すデータは、利用者が操作するリモコン（図示せず）から制御装置１ａに入力されるデータであり、給水温度を示すデータは温度センサＴＨ１から入力されるデータである。
また、空調サイクルの目標温度及び目標風量を示すデータは、利用者が操作するリモコンから制御装置１ａに入力されるデータであり、室内温度を示すデータは温度センサＴＨ２０から入力されるデータである。
【００５９】
制御装置１ａは、ステップＳ２で受信した各データに基づいた演算処理を実行する（ステップＳ３）。具体的に制御装置１ａは、給湯サイクルにおける目標給湯能力「Ｑｈ」、給湯用圧縮機４１の目標回転速度、給湯用圧縮機４１の目標吐出温度「Ｔｄ」、及び給湯用圧縮機４１の入力「Ｗｈｃｏｍｐ」を演算する。
さらに、制御装置１ａは、空調サイクルにおける目標空調能力「Ｑｃ」、空調用圧縮機２１の目標回転速度、空調用冷媒の目標蒸発温度「Ｔｅ」、及び空調用圧縮機２１の入力「Ｗｃｃｏｍｐ」を演算する。
さらに、制御装置１ａは、給湯サイクルの目標給湯能力「Ｑｈ」と給湯用圧縮機４１の入力「Ｗｈｃｏｍｐ」との差から給湯吸熱量を演算するとともに、空調サイクルの目標空調能力「Ｑｃ」と空調用圧縮機２１の入力「Ｗｃｃｏｍｐ」との和から空調放熱量を演算する（ステップＳ４）。
【００６０】
そして、制御装置１ａは、ステップＳ４で演算した給湯吸熱量と空調放熱量を比較し（ステップＳ５）、給湯吸熱量と空調放熱量が等しいか否かを判定する。なお、ステップＳ５において制御装置１ａは、給湯吸熱量と空調放熱量の差が予め設定される範囲内にあるときに、給湯吸熱量と空調放熱量が等しいと判定する。
そして、給湯吸熱量と空調放熱量が等しいとき（ステップＳ５→Ｙｅｓ）、制御装置１ａは空調給湯システム１００を「第１運転状態」に設定して、排熱回収運転を実行する（ステップＳ６）。
つまり、本実施形態における「第１運転状態」は、給湯吸熱量と空調放熱量が等しい場合に排熱回収運転されるときの空調給湯システム１００の状態である。
【００６１】
図７を参照して、制御装置１ａが空調給湯システム１００を「第１運転状態」に設定して排熱回収運転する手順を説明する。
制御装置１ａは、中間熱交換器２３の出入口（冷房時空調用冷媒入口２３ａ、冷房時空調用冷媒出口２３ｂ、給湯用冷媒入口２３ｃ、給湯用冷媒出口２３ｄ）に配設される開閉弁３５ａ，３５ｂ，４９ｂ，４９ｄの全てを開弁する（ステップＳ６０１）。また、制御装置１ａは、給湯用熱源側熱交換器４４の出入口（給湯用冷媒入口４４ａ、給湯用冷媒出口４４ｂ）に配設される給湯用冷媒流量調整弁４９ａ及び第４制御弁４９ｃを閉弁するとともに給湯用室外ファン４５を停止する（ステップＳ６０２）。さらに、空調用熱源側熱交換器２４の出入口（冷房時空調用冷媒入口２４ａ、冷房時空調用冷媒出口２４ｂ）に配設される空調用冷媒流量調整弁３５ｃ及び第２制御弁３５ｄを閉弁するとともに空調用室外ファン２５を停止する（ステップＳ６０３）。
つまり、制御装置１ａは、給湯吸熱量と空調放熱量が等しいため、図３に示すように中間熱交換器２３のみを使用して冷房運転と給湯運転を行うように空調給湯システム１００を設定する。
【００６２】
そして、制御装置１ａは、図６のステップＳ３での演算結果に従って給湯サイクル及び空調サイクルを運転する。具体的に制御装置１ａは、給湯サイクルにおいて、図６のステップＳ３で演算した目標回転速度で給湯用圧縮機４１を運転し、さらに、給湯サイクルにおける給湯用冷媒の吐出温度が目標吐出温度「Ｔｄ」となるように給湯用膨張弁４３の弁開度を設定する（ステップＳ６０４）。
例えば、目標吐出温度と給湯用膨張弁４３の弁開度の関係を示すマップを予め決定し、制御装置１ａが、演算した目標吐出温度「Ｔｄ」に基づいて当該マップを参照することによって給湯用膨張弁４３の弁開度を設定する構成とすればよい。
そして、制御装置１ａは、空調サイクルにおいて、図６のステップＳ３で演算した目標回転速度で空調用圧縮機２１を運転し、さらに、空調サイクルにおける空調用冷媒の蒸発温度が目標蒸発温度「Ｔｅ」となるように空調用膨張弁２７の弁開度を設定し（ステップＳ６０５）、リターンする。
例えば、目標蒸発温度と空調用膨張弁２７の弁開度の関係を示すマップを予め決定し、制御装置１ａが、演算した目標蒸発温度「Ｔｅ」に基づいて当該マップを参照することによって空調用膨張弁２７の弁開度を設定する構成とすればよい。
このように、給湯吸熱量と空調放熱量が等しい場合、制御装置１ａは、空調給湯システム１００を「第１運転状態」に設定して排熱回収運転する。
なお、図７のフローチャートに示すように、空調給湯システム１００を「第１運転状態」に設定して排熱回収運転する手順からリターンすると、制御装置１ａは手順を図６のステップＳ２に戻し（ステップＳ６→ステップＳ２）、排熱回収運転を継続する。
【００６３】
説明を図６のステップＳ５に戻す。給湯吸熱量と空調放熱量が等しくないとき（ステップＳ５→Ｎｏ）、制御装置１ａは給湯吸熱量と空調放熱量の大きさを比較し（ステップＳ７）、給湯吸熱量が空調放熱量未満のとき（ステップＳ７→Ｙｅｓ）、空調給湯システム１００を「第２運転状態」に設定して、排熱回収運転を実行する（ステップＳ８）。
つまり、「第２運転状態」は、給湯吸熱量が空調放熱量未満の場合に排熱回収運転されるときの空調給湯システム１００の状態である。
【００６４】
図８を参照して、制御装置１ａが空調給湯システム１００を「第２運転状態」に設定して排熱回収運転する手順を説明する。
制御装置１ａは、中間熱交換器２３の出入口（冷房時空調用冷媒入口２３ａ、冷房時空調用冷媒出口２３ｂ、給湯用冷媒入口２３ｃ、給湯用冷媒出口２３ｄ）に配設される開閉弁３５ａ，３５ｂ，４９ｂ，４９ｄの全てを開弁する（ステップＳ８０１）。また、制御装置１ａは、給湯用熱源側熱交換器４４の出入口（給湯用冷媒入口４４ａ、給湯用冷媒出口４４ｂ）に配設される給湯用冷媒流量調整弁４９ａ及び第４制御弁４９ｃを閉弁するとともに給湯用室外ファン４５を停止する（ステップＳ８０２）。さらに、空調用熱源側熱交換器２４の出入口（冷房時空調用冷媒入口２４ａ、冷房時空調用冷媒出口２４ｂ）に配設される空調用冷媒流量調整弁３５ｃ及び第２制御弁３５ｄを開弁する（ステップＳ８０３）。
つまり、制御装置１ａは、空調放熱量が給湯吸熱量より大きいため、図４に示すように、空調放熱量と給湯吸熱量の差に相当する熱量を空調用熱源側熱交換器２４で大気に放熱しながら冷房運転と給湯運転を行うように空調給湯システム１００を設定する。
【００６５】
その後、制御装置１ａは、各データの受信処理を行う（ステップＳ８０４）。具体的に制御装置１ａは、図６のステップＳ４で演算した給湯吸熱量及び空調放熱量のデータと、温度センサＴＨ１９から入力される外気温度を示すデータを受信する。そして、受信した各データに基づいて、給湯サイクルにおける給湯用冷媒の目標蒸発温度「Ｔｅ」と、空調サイクルにおける空調用冷媒の目標凝縮温度「Ｔｃ」を演算する（ステップＳ８０５）。
【００６６】
そして制御装置１ａは、ステップＳ８０５での演算結果に従って給湯サイクル及び空調サイクルを運転する。
具体的に、制御装置１ａは、給湯サイクルにおいて給湯用圧縮機４１を目標回転速度で運転し、給湯サイクルにおける給湯用冷媒の蒸発温度が目標蒸発温度「Ｔｅ」となるように給湯用膨張弁４３の弁開度を設定する。
さらに、制御装置１ａは、空調サイクルにおいて空調用圧縮機２１を目標回転速度で運転し、空調サイクルにおける空調用冷媒の凝縮温度が目標凝縮温度「Ｔｃ」となるように空調用室外ファン２５の回転速度を設定するとともに空調用膨張弁２７の弁開度を設定する（ステップＳ８０６）。
【００６７】
例えば、目標蒸発温度と給湯用膨張弁４３の弁開度の関係を示すマップを予め決定し、制御装置１ａが、演算した目標蒸発温度「Ｔｅ」に基づいて当該マップを参照することによって給湯用膨張弁４３の弁開度を設定する構成とすればよい。
また、目標凝縮温度と空調用膨張弁２７の弁開度と空調用室外ファン２５の回転速度の関係を示すマップを予め決定し、制御装置１ａが、演算した目標凝縮温度「Ｔｃ」に基づいて当該マップを参照することによって空調用室外ファン２５の回転速度及び空調用膨張弁２７の弁開度を設定する構成とすればよい。
【００６８】
そして、制御装置１ａは、温度センサＴＨ２２から受信するデータに基づいて、空調用熱源側熱交換器２４の空調用熱交換器出口温度を演算する（ステップＳ８０７）。
そして、制御装置１ａは空調用熱源側熱交換器２４の空調用熱交換器出口温度が、演算された目標凝縮温度「Ｔｃ」となるように、空調用冷媒流量調整弁３５ｃの弁開度を設定する（ステップＳ８０８）。このように、制御装置１ａは、空調用冷媒流量調整弁３５ｃの弁開度を設定することによって、空調用熱源側熱交換器２４への空調用冷媒の流入量を調整する。
【００６９】
さらに、制御装置１ａは、給湯サイクルにおける給湯用冷媒の蒸発温度が目標蒸発温度「Ｔｅ」となっているか否かを判定する（ステップＳ８０９）。給湯サイクルにおける給湯用冷媒の蒸発温度が目標蒸発温度「Ｔｅ」となっている場合（ステップＳ８０９→Ｙｅｓ）、制御装置１ａは空調サイクルにおける空調用冷媒の凝縮温度が目標凝縮温度「Ｔｃ」となっているか否かを判定する（ステップＳ８１０）。空調サイクルにおける空調用冷媒の凝縮温度が目標凝縮温度「Ｔｃ」となっている場合（ステップＳ８１０→Ｙｅｓ）、給湯サイクルの運転が目標給湯能力「Ｑｈ」で、空調サイクルの運転が目標空調能力「Ｑｃ」になっているとき（ステップＳ８１１→Ｙｅｓ）、制御装置１ａは、第２運転状態で排熱回収運転する手順を終了してリターンするが、給湯サイクルの運転が目標給湯能力「Ｑｈ」になっていないか空調サイクルの運転が目標空調能力「Ｑｃ」になっていないとき（ステップＳ８１１→Ｎｏ）、制御装置１ａは手順をステップＳ８０６に戻す。
また、空調サイクルにおける空調用冷媒の凝縮温度が目標凝縮温度「Ｔｃ」となっていない場合（ステップＳ８１０→Ｎｏ）、制御装置１ａは、空調用冷媒流量調整弁３５ｃ及び第２制御弁３５ｄの弁開度を設定し（ステップＳ８１２）、手順をステップＳ８０６に戻す。具体的に制御装置１ａは、ステップＳ８１２で空調用冷媒流量調整弁３５ｃ及び第２制御弁３５ｄを少し閉弁する。そして、手順をステップＳ８０６に戻し、以下の手順を実行する。
【００７０】
一方、給湯サイクルにおける給湯用冷媒の蒸発温度が目標蒸発温度「Ｔｅ」となっていない場合（ステップＳ８０９→Ｎｏ）、制御装置１ａは手順をステップＳ８０６に戻し、給湯サイクルにおける給湯用冷媒の蒸発温度が目標蒸発温度「Ｔｅ」となるように給湯用膨張弁４３の弁開度を調整する。
なお、図８のフローチャートに示すように、空調給湯システム１００を「第２運転状態」に設定して排熱回収運転する手順からリターンすると、制御装置１ａは手順を図６のステップＳ２に戻し（ステップＳ８→ステップＳ２）、排熱回収運転を継続する。
【００７１】
このように空調放熱量が給湯吸熱量より大きい場合、空制御装置１ａは、空調給湯システム１００を「第２運転状態」に設定して排熱回収運転する。
この場合、制御装置１ａは、空調用熱源側熱交換器２４の冷房時空調用冷媒出口２４ｂ近傍における空調用熱交換器出口温度が、演算される凝縮温度（目標凝縮温度「Ｔｃ」）となるように、空調用冷媒流量調整弁３５ｃの弁開度を調整する。この構成によって、空調用熱源側熱交換器２４の放熱量不足から生じる流動抵抗の増大を防止し、流れの閉塞等の現象の発生を防止できる。
【００７２】
説明を図６のステップＳ７に戻す。給湯吸熱量が空調放熱量より大きいとき（ステップＳ７→Ｎｏ）、制御装置１ａは空調給湯システム１００を「第３運転状態」に設定して、排熱回収運転を実行する（ステップＳ９）。つまり、「第３運転状態」は、給湯吸熱量が空調放熱量より大きい場合に排熱回収運転されるときの空調給湯システム１００の状態である。
【００７３】
図９を参照して、制御装置１ａが空調給湯システム１００を「第３運転状態」に設定して排熱回収運転する手順を説明する。
制御装置１ａは、中間熱交換器２３の出入口（冷房時空調用冷媒入口２３ａ、冷房時空調用冷媒出口２３ｂ、給湯用冷媒入口２３ｃ、給湯用冷媒出口２３ｄ）に配設される開閉弁３５ａ，３５ｂ，４９ｂ，４９ｄの全てを開弁する（ステップＳ９０１）。また、制御装置１ａは、給湯用熱源側熱交換器４４の出入口（給湯用冷媒入口４４ａ、給湯用冷媒出口４４ｂ）に配設される給湯用冷媒流量調整弁４９ａ及び第４制御弁４９ｃを開弁する（ステップＳ９０２）。さらに、空調用熱源側熱交換器２４の出入口（冷房時空調用冷媒入口２４ａ、冷房時空調用冷媒出口２４ｂ）に配設される空調用冷媒流量調整弁３５ｃ及び第２制御弁３５ｄを閉弁するとともに空調用室外ファン２５を停止する（ステップＳ９０３）。
つまり、制御装置１ａは、給湯吸熱量が空調放熱量より大きいため、図５に示すように、給湯吸熱量と空調放熱量の差に相当する熱量を給湯用熱源側熱交換器４４で大気から吸熱しながら冷房運転と給湯運転を行うように空調給湯システム１００を設定する。
【００７４】
その後、制御装置１ａは、各データの受信処理を行う（ステップＳ９０４）。具体的に制御装置１ａは、図６のステップＳ４で演算した給湯吸熱量及び空調放熱量のデータと、温度センサＴＨ１９から入力される外気温度を示すデータを受信する。そして、受信した各データに基づいて、給湯サイクルにおける給湯用冷媒の目標蒸発温度「Ｔｅ」と、空調サイクルにおける空調用冷媒の目標凝縮温度「Ｔｃ」を演算する（ステップＳ９０５）。
【００７５】
そして、制御装置１ａは、ステップＳ９０５での演算結果に従って給湯サイクル及び空調サイクルを運転する。
具体的に、制御装置１ａは、空調サイクルにおいて空調用圧縮機２１を目標回転速度で運転し、空調サイクルにおける空調用冷媒の凝縮温度が目標凝縮温度「Ｔｃ」となるように空調用膨張弁２７の弁開度を設定する。
さらに、制御装置１ａは、給湯サイクルにおいて給湯用圧縮機４１を目標回転速度で運転し、給湯サイクルにおける給湯用冷媒の蒸発温度が目標蒸発温度「Ｔｅ」となるように給湯用室外ファン４５の回転速度を設定するとともに給湯用膨張弁４３の弁開度を設定する（ステップＳ９０６）。
【００７６】
例えば、目標凝縮温度と空調用膨張弁２７の弁開度の関係を示すマップを予め決定し、制御装置１ａが、演算した目標凝縮温度「Ｔｃ」に基づいて当該マップを参照することによって空調用膨張弁２７の弁開度を設定する構成とすればよい。
また、目標蒸発温度と給湯用膨張弁４３の弁開度と給湯用室外ファン４５の回転速度の関係を示すマップを予め決定し、制御装置１ａが、演算した目標蒸発温度「Ｔｅ」に基づいて当該マップを参照することによって給湯用室外ファン４５の回転速度及び給湯用膨張弁４３の弁開度を設定する構成とすればよい。
【００７７】
そして、制御装置１ａは、温度センサＴＨ２３から受信するデータに基づいて、給湯用熱源側熱交換器４４の給湯用熱交換器出口温度を演算する（ステップＳ９０７）。
そして、制御装置１ａは給湯用熱源側熱交換器４４の給湯用熱交換器出口温度が、演算された、目標蒸発温度「Ｔｅ」となるように、給湯用冷媒流量調整弁４９ａの弁開度を設定する（ステップＳ９０８）。このように、制御装置１ａは、給湯用冷媒流量調整弁４９ａの弁開度を設定することによって、給湯用熱源側熱交換器４４への給湯用冷媒の流入量を調整する。
【００７８】
さらに、制御装置１ａは、空調サイクルにおける空調用冷媒の凝縮温度が目標凝縮温度「Ｔｃ」となっているか否かを判定する（ステップＳ９０９）。空調サイクルにおける空調用冷媒の凝縮温度が目標凝縮温度「Ｔｃ」となっている場合（ステップＳ９０９→Ｙｅｓ）、制御装置１ａは給湯サイクルにおける給湯用冷媒の蒸発温度が目標蒸発温度「Ｔｅ」となっているか否かを判定する（ステップＳ９１０）。給湯サイクルにおける給湯用冷媒の蒸発温度が目標蒸発温度「Ｔｅ」となっている場合（ステップＳ９１０→Ｙｅｓ）、給湯サイクルの運転が目標給湯能力「Ｑｈ」で、空調サイクルの運転が目標空調能力「Ｑｃ」になっているとき（ステップＳ９１１→Ｙｅｓ）、制御装置１ａは第３運転状態で排熱回収運転する手順を終了してリターンするが、給湯サイクルの運転が目標給湯能力「Ｑｈ」になっていないか空調サイクルの運転が目標空調能力「Ｑｃ」になっていないとき（ステップＳ９１１→Ｎｏ）、制御装置１ａは手順をステップＳ９０６に戻す。
また、給湯サイクルにおける給湯用冷媒の蒸発温度が目標蒸発温度「Ｔｅ」となっていない場合（ステップＳ９１０→Ｎｏ）、制御装置１ａは、給湯用冷媒流量調整弁４９ａ及び第４制御弁４９ｃの弁開度を設定し（ステップＳ９１２）、手順をステップＳ９０６に戻す。具体的に制御装置１ａは、ステップＳ９１２で給湯用冷媒流量調整弁４９ａ及び第４制御弁４９ｃを少し閉弁する。そして、手順をステップＳ９０６に戻して、以下の手順を実行する。
なお、図９のフローチャートに示すように、空調給湯システム１００を「第３運転状態」に設定して排熱回収運転する手順からリターンすると、制御装置１ａは手順を図６のステップＳ２に戻し（ステップＳ９→ステップＳ２）、排熱回収運転を継続する。
【００７９】
一方、空調サイクルにおいて目標凝縮温度「Ｔｃ」が得られていない場合（ステップＳ９０９→Ｎｏ）、制御装置１ａは手順をステップＳ９０６に戻し、目標凝縮温度「Ｔｃ」が得られるように空調用膨張弁２７の弁開度を調整する。
【００８０】
このように給湯吸熱量が空調放熱量より大きい場合、空制御装置１ａは、空調給湯システム１００を「第３運転状態」に設定して排熱回収運転する。
この場合、制御装置１ａは、給湯用熱源側熱交換器４４の給湯用冷媒出口４４ｂ近傍における温度が、予め演算される蒸発温度（目標蒸発温度）となるように、給湯用冷媒流量調整弁４９ａの弁開度を調整する。この構成によって、中間熱交換器２３及び給湯用熱源側熱交換器４４で、給湯用冷媒の全てを蒸発させることができ、さらに、中間熱交換器２３において、空調用冷媒と給湯用冷媒とで所望の熱量を熱交換させることができる。
【００８１】
以上のように、本実施形態に係る空調給湯システム１００は、中間熱交換器２３と並列に配置される空調用熱源側熱交換器２４の冷房時空調用冷媒入口２４ａ側に空調用冷媒流量調整弁３５ｃを配置する。そして、冷房運転時に排熱回収運転をする場合、制御装置１ａは、空調用熱源側熱交換器２４における冷房時空調用冷媒出口２４ｂ近傍の空調用熱交換器出口温度に応じて空調用冷媒流量調整弁３５ｃの弁開度を設定する。
この構成によって、空調放熱量が給湯吸熱量より大きい場合に排熱回収運転するとき、空調用熱源側熱交換器２４に流通させる空調用冷媒の流量を調整できる。そして、空調用熱源側熱交換器２４で空調用冷媒を十分に冷却することができ、空調用熱源側熱交換器２４を流通する空調用冷媒の全てを凝縮させることができる。換言すると、空調用熱源側熱交換器２４の放熱量不足から生じる流動抵抗の過剰な増大を防止し、流れの閉塞等の現象の発生を防止できる。
【００８２】
一方、給湯吸熱量が空調放熱量より大きい場合に排熱回収運転するとき、制御装置１ａは、給湯用冷媒流量調整弁４９ａを開弁して給湯用熱源側熱交換器４４に給湯用冷媒を流通させて大気の熱で気化させる。このとき、制御装置１ａは、給湯用熱源側熱交換器４４の給湯用冷媒出口４４ｂにおける給湯用熱交換器出口温度に基づいて給湯用冷媒流量調整弁４９ａの弁開度を設定する。
この構成によって、給湯吸熱量が空調放熱量より大きい場合に排熱回収運転するとき、給湯用冷媒回路６を流通する給湯用冷媒を、給湯サイクルにおける目標蒸発温度に基づいて、中間熱交換器２３と給湯用熱源側熱交換器４４とで好適に分配できる。そして、中間熱交換器２３及び給湯用熱源側熱交換器４４で、給湯用冷媒の全てを蒸発させることができ、さらに、中間熱交換器２３において、空調用冷媒と給湯用冷媒とで所望の熱量を熱交換させることができる。
【００８３】
なお、本実施形態に係る空調給湯システム１００は、空調用熱源側熱交換器２４の冷房時空調用冷媒入口２４ａ側に空調用冷媒流量調整弁３５ｃを備え、給湯用熱源側熱交換器４４の給湯用冷媒入口４４ａ側に給湯用冷媒流量調整弁４９ａを備える構成とした。これは、前記したように、中間熱交換器２３の空調用冷媒に対する流路抵抗が空調用熱源側熱交換器２４の空調用冷媒に対する流路抵抗より大きく、中間熱交換器２３の給湯用冷媒に対する流路抵抗が給湯用熱源側熱交換器４４の給湯用冷媒に対する流路抵抗より大きいためである。
【００８４】
したがって、中間熱交換器２３の空調用冷媒に対する流路抵抗が空調用熱源側熱交換器２４の空調用冷媒に対する流路抵抗より小さく、中間熱交換器２３の給湯用冷媒に対する流路抵抗が給湯用熱源側熱交換器４４の給湯用冷媒に対する流路抵抗より小さい場合、図１０に示すように、中間熱交換器２３の冷房時空調用冷媒入口２３ａに配設される開閉弁３５ａ（図１参照）に替えて流量調整可能な空調用冷媒流量調整弁３５ａ１が配設され、中間熱交換器２３の給湯用冷媒入口２３ｃに配設される開閉弁４９ｂ（図１参照）に替えて流量調整可能な給湯用冷媒流量調整弁４９ｂ１が配設される構成としてもよい。
【００８５】
この構成の場合、中間熱交換器２３の冷房時空調用冷媒出口２３ｂ近傍における空調用冷媒の温度を測定する空調用熱交換器出口温度測定手段（温度センサＴＨ２４）と、中間熱交換器２３の給湯用冷媒出口２３ｄ近傍における給湯用冷媒の温度を測定する給湯用熱交換器出口温度測定手段（温度センサＴＨ２５）が備わる構成が好ましい。
そして、温度センサＴＨ２４が測定する空調用冷媒の温度を、中間熱交換器２３の空調用熱交換器出口温度とし、温度センサＴＨ２５が測定する給湯用冷媒の温度を、中間熱交換器２３の給湯用熱交換器出口温度とする。
この構成の場合、空調用熱源側熱交換器２４の温度センサＴＨ２２、及び給湯用熱源側熱交換器４４の温度センサＴＨ２３が備わらない構成としてもよい。
また、空調用熱源側熱交換器２４の冷房時空調用冷媒入口２４ａに配設される空調用冷媒流量調整弁３５ｃは、流量調整弁でない制御弁（膨張弁）であってもよいし、給湯用熱源側熱交換器４４の給湯用冷媒入口４４ａに配設される給湯用冷媒流量調整弁４９ａは、流量調整弁でない制御弁（膨張弁）であってもよい。
【００８６】
そして制御装置１ａは、空調放熱量が給湯吸熱量より大きい場合に排熱回収運転するとき、図８に示す手順にしたがって、空調給湯システム１００を「第２運転状態」に設定して排熱回収運転をする。
このとき、制御装置１ａは、ステップＳ８０７で、空調用熱源側熱交換器２４の空調用熱交換器出口温度に替えて、温度センサＴＨ２４から受信するデータに基づいて、中間熱交換器２３の空調用熱交換器出口温度を演算する。そして、ステップＳ８０８で、中間熱交換器２３の空調用熱交換器出口温度が、演算された目標凝縮温度「Ｔｃ」となるように、空調用冷媒流量調整弁３５ａ１の弁開度を設定する。
このことによって、空調用冷媒に対する流路抵抗が小さい中間熱交換器２３に好適な流量で空調用冷媒を流通させることができ、流動抵抗の増大を防止して流れの閉塞等の現象の発生を防止できる。
【００８７】
また、給湯吸熱量が空調放熱量より大きい場合に排熱回収運転するとき、制御装置１ａは、図９に示す手順にしたがって、空調給湯システム１００を「第３運転状態」に設定して排熱回収運転をする。
このとき、制御装置１ａは、ステップＳ９０７で、給湯用熱源側熱交換器４４の給湯用熱交換器出口温度に替えて、温度センサＴＨ２５から受信するデータに基づいて、中間熱交換器２３の給湯用熱交換器出口温度を演算する。そして、ステップＳ９０８で、中間熱交換器２３の給湯用熱交換器出口温度が、演算された目標蒸発温度「Ｔｅ」となるように、給湯用冷媒流量調整弁４９ｂ１の弁開度を設定する。
このことによって、給湯用冷媒に対する流路抵抗が小さい中間熱交換器２３に好適な流量で給湯用冷媒を流通させることができる。そして、中間熱交換器２３及び給湯用熱源側熱交換器４４で、給湯用冷媒の全てを蒸発させることができ、さらに、中間熱交換器２３において、空調用冷媒と給湯用冷媒とで所望の熱量を熱交換させることができる。
【符号の説明】
【００８８】
１ａ    制御装置
５      空調用冷媒回路
６      給湯用冷媒回路
２３    中間熱交換器
２３ａ  冷房時空調用冷媒入口（第２空調用冷媒入口）
２３ｂ  冷房時空調用冷媒出口（第２空調用冷媒出口）
２３ｃ  給湯用冷媒入口（第２給湯用冷媒入口）
２３ｄ  給湯用冷媒出口（第２給湯用冷媒出口）
２４    空調用熱源側熱交換器
２４ａ  冷房時空調用冷媒入口（第１空調用冷媒入口）
２４ｂ  冷房時空調用冷媒出口（第１空調用冷媒出口）
３５ｃ  空調用冷媒流量調整弁（空調用冷媒流入量調整手段、空調用冷媒遮断手段）
３５ａ１  空調用冷媒流量調整弁（空調用冷媒流入量調整手段）
４４    給湯用熱源側熱交換器
４４ａ  給湯用冷媒入口（第１給湯用冷媒入口）
４４ｂ  給湯用冷媒出口（第１給湯用冷媒出口）
４９ａ  給湯用冷媒流量調整弁（給湯用冷媒流入量調整手段、給湯用冷媒遮断手段）
４９ｂ１  給湯用冷媒流量調整弁（給湯用冷媒流入量調整手段）
１００  空調給湯システム
ＴＨ２２，ＴＨ２４  温度センサ（空調用熱交換器出口温度測定手段）
ＴＨ２３，ＴＨ２５  温度センサ（給湯用熱交換器出口温度測定手段）
【図１】
2012114461.tif 000003
【図２】
2012114461.tif 000004
【図３】
2012114461.tif 000005
【図４】
2012114461.tif 000006
【図５】
2012114461.tif 000007
【図６】
2012114461.tif 000008
【図７】
2012114461.tif 000009
【図８】
2012114461.tif 000010
【図９】
2012114461.tif 000011
【図１０】
2012114461.tif 000012
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムであって、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、
前記空調用冷媒流入量調整手段は空調用冷媒流量調整弁であって、
前記空調用熱源側熱交換器の前記空調用冷媒に対する流路抵抗が、前記中間熱交換器の前記空調用冷媒に対する流路抵抗より小さい場合の構成として、
前記空調用冷媒流量調整弁を、前記冷房運転時に前記空調用熱源側熱交換器への前記空調用冷媒の入口となる第１空調用冷媒入口に備え、さらに、前記空調用熱交換器出口温度測定手段を、前記冷房運転時に前記空調用熱源側熱交換器からの前記空調用冷媒の出口となる第１空調用冷媒出口の近傍に備え、
前記制御装置は、
前記空調サイクルでの冷房運転と、前記給湯サイクルでの給湯運転と、を同時に実行する場合に、
前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、
前記空調放熱量が前記給湯吸熱量より大きいとき、
給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記空調用熱源側熱交換器への前記空調用冷媒の流入量を調整することを特徴とする空調給湯システム。
【請求項２】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムであって、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、
前記空調用冷媒流入量調整手段は空調用冷媒流量調整弁であって、
前記空調用熱源側熱交換器の前記空調用冷媒に対する流路抵抗が、前記中間熱交換器の前記空調用冷媒に対する流路抵抗より小さい場合の構成として、
前記空調用冷媒流量調整弁を、前記冷房運転時に前記空調用熱源側熱交換器への前記空調用冷媒の入口となる第１空調用冷媒入口に備え、さらに、前記空調用熱交換器出口温度測定手段を、前記冷房運転時に前記空調用熱源側熱交換器からの前記空調用冷媒の出口となる第１空調用冷媒出口の近傍に備え、
前記制御装置は、
前記空調サイクルでの冷房運転と、前記給湯サイクルでの給湯運転と、を同時に実行する場合に、
前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、
前記空調放熱量が前記給湯吸熱量より大きいとき、
給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記空調用熱交換器出口温度が前記目標凝縮温度となるように前記空調用熱源側熱交換器への前記空調用冷媒の流入量を調整することを特徴とする空調給湯システム。
【請求項３】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムであって、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、
前記空調用冷媒流入量調整手段は空調用冷媒流量調整弁であって、
前記中間熱交換器の前記空調用冷媒に対する流路抵抗が、前記空調用熱源側熱交換器の前記空調用冷媒に対する流路抵抗より小さい場合の構成として、
前記空調用冷媒流量調整弁を、前記冷房運転時に前記中間熱交換器への前記空調用冷媒の入口となる第２空調用冷媒入口に備え、さらに、前記空調用熱交換器出口温度測定手段を、前記冷房運転時に前記中間熱交換器からの前記空調用冷媒の出口となる第２空調用冷媒出口の近傍に備え、
前記制御装置は、
前記空調サイクルでの冷房運転と、前記給湯サイクルでの給湯運転と、を同時に実行する場合に、
前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、
前記空調放熱量が前記給湯吸熱量より大きいとき、
給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記中間熱交換器への前記空調用冷媒の流入量を調整することを特徴とする空調給湯システム。
【請求項４】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムであって、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、
前記空調用冷媒流入量調整手段は空調用冷媒流量調整弁であって、
前記中間熱交換器の前記空調用冷媒に対する流路抵抗が、前記空調用熱源側熱交換器の前記空調用冷媒に対する流路抵抗より小さい場合の構成として、
前記空調用冷媒流量調整弁を、前記冷房運転時に前記中間熱交換器への前記空調用冷媒の入口となる第２空調用冷媒入口に備え、さらに、前記空調用熱交換器出口温度測定手段を、前記冷房運転時に前記中間熱交換器からの前記空調用冷媒の出口となる第２空調用冷媒出口の近傍に備え、
前記制御装置は、
前記空調サイクルでの冷房運転と、前記給湯サイクルでの給湯運転と、を同時に実行する場合に、
前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、
前記空調放熱量が前記給湯吸熱量より大きいとき、
給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記空調用熱交換器出口温度が前記目標凝縮温度となるように前記中間熱交換器への前記空調用冷媒の流入量を調整することを特徴とする空調給湯システム。
【請求項５】
前記給湯サイクルでの給湯運転時に、前記給湯用熱源側熱交換器又は前記中間熱交換器への前記給湯用冷媒の流入量を調整する給湯用冷媒流入量調整手段と、
前記給湯用熱源側熱交換器と前記中間熱交換器のうち、前記給湯運転時に前記給湯用冷媒の流入量が調整される一方の給湯用熱交換器出口温度を測定する給湯用熱交換器出口温度測定手段と、をさらに備え、
前記制御装置は、
前記空調サイクルでの冷房運転と、前記給湯サイクルでの給湯運転と、を同時に実行する場合に、前記給湯吸熱量が前記空調放熱量より大きいとき、
空調用冷媒遮断手段によって前記空調用熱源側熱交換器への前記空調用冷媒の流入を遮断するとともに、前記給湯用熱交換器出口温度に基づいて前記給湯用冷媒流入量調整手段を制御して、前記給湯用熱源側熱交換器又は前記中間熱交換器への前記給湯用冷媒の流入量を調整することを特徴とする請求の範囲第１項乃至請求の範囲第４項のいずれか１項に記載の空調給湯システム。
【請求項６】
前記制御装置は、
前記給湯用熱交換器出口温度が前記目標蒸発温度となるように前記給湯用熱源側熱交換器又は前記中間熱交換器への前記給湯用冷媒の流入量を調整することを特徴とする請求の範囲第５項に記載の空調給湯システム。
【請求項７】
前記給湯用冷媒流入量調整手段は給湯用冷媒流量調整弁であって、
前記給湯用熱源側熱交換器の前記給湯用冷媒に対する流路抵抗が、前記中間熱交換器の前記給湯用冷媒に対する流路抵抗より小さい場合の構成として、
前記給湯用冷媒流量調整弁を、前記給湯運転時に前記給湯用熱源側熱交換器への前記給湯用冷媒の入口となる第１給湯用冷媒入口に備え、さらに、前記給湯用熱交換器出口温度測定手段を、前記給湯運転時に前記給湯用熱源側熱交換器からの前記給湯用冷媒の出口となる第１給湯用冷媒出口の近傍に備え、
前記制御装置は、前記給湯用冷媒流量調整弁の弁開度を調整して、前記給湯用熱源側熱交換器への前記給湯用冷媒の流入量を調整することを特徴とする請求の範囲第５項に記載の空調給湯システム。
【請求項８】
前記給湯用冷媒流入量調整手段は給湯用冷媒流量調整弁であって、
前記給湯用熱源側熱交換器の前記給湯用冷媒に対する流路抵抗が、前記中間熱交換器の前記給湯用冷媒に対する流路抵抗より小さい場合の構成として、
前記給湯用冷媒流量調整弁を、前記給湯運転時に前記給湯用熱源側熱交換器への前記給湯用冷媒の入口となる第１給湯用冷媒入口に備え、さらに、前記給湯用熱交換器出口温度測定手段を、前記給湯運転時に前記給湯用熱源側熱交換器からの前記給湯用冷媒の出口となる第１給湯用冷媒出口の近傍に備え、
前記制御装置は、前記給湯用冷媒流量調整弁の弁開度を調整して、前記給湯用熱源側熱交換器への前記給湯用冷媒の流入量を調整することを特徴とする請求の範囲第６項に記載の空調給湯システム。
【請求項９】
前記給湯用冷媒流入量調整手段は給湯用冷媒流量調整弁であって、
前記中間熱交換器の前記給湯用冷媒に対する流路抵抗が、前記給湯用熱源側熱交換器の前記給湯用冷媒に対する流路抵抗より小さい場合の構成として、
前記給湯用冷媒流量調整弁を、前記給湯運転時に前記中間熱交換器への前記給湯用冷媒の入口となる第２給湯用冷媒入口に備え、さらに、前記給湯用熱交換器出口温度測定手段を、前記給湯運転時に前記中間熱交換器からの前記給湯用冷媒の出口となる第２給湯用冷媒出口の近傍に備え、
前記制御装置は、前記給湯用冷媒流量調整弁の弁開度を調整して、前記中間熱交換器への前記給湯用冷媒の流入量を調整することを特徴とする請求の範囲第５項に記載の空調給湯システム。
【請求項１０】
前記給湯用冷媒流入量調整手段は給湯用冷媒流量調整弁であって、
前記中間熱交換器の前記給湯用冷媒に対する流路抵抗が、前記給湯用熱源側熱交換器の前記給湯用冷媒に対する流路抵抗より小さい場合の構成として、
前記給湯用冷媒流量調整弁を、前記給湯運転時に前記中間熱交換器への前記給湯用冷媒の入口となる第２給湯用冷媒入口に備え、さらに、前記給湯用熱交換器出口温度測定手段を、前記給湯運転時に前記中間熱交換器からの前記給湯用冷媒の出口となる第２給湯用冷媒出口の近傍に備え、
前記制御装置は、前記給湯用冷媒流量調整弁の弁開度を調整して、前記中間熱交換器への前記給湯用冷媒の流入量を調整することを特徴とする請求の範囲第６項に記載の空調給湯システム。
【手続補正２】
【補正対象書類名】明細書
【補正対象項目名】０００８
【補正方法】変更
【補正の内容】
【０００８】
前記課題を解決するため本発明は、空調用冷媒が循環して空調サイクルを形成する空調用冷媒回路と、給湯用冷媒が循環して給湯サイクルを形成する給湯用冷媒回路と、制御装置と、を備えるとともに、前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムとする。そして、前記空調サイクルでの冷房運転時に、前記空調用熱源側熱交換器又は前記中間熱交換器への前記空調用冷媒の流入量を調整する空調用冷媒流入量調整手段と、前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、前記空調用冷媒流入量調整手段は空調用冷媒流量調整弁であって、前記空調用熱源側熱交換器の前記空調用冷媒に対する流路抵抗が、前記中間熱交換器の前記空調用冷媒に対する流路抵抗より小さい場合の構成として、前記空調用冷媒流量調整弁を、前記冷房運転時に前記空調用熱源側熱交換器への前記空調用冷媒の入口となる第１空調用冷媒入口に備え、さらに、前記空調用熱交換器出口温度測定手段を、前記冷房運転時に前記空調用熱源側熱交換器からの前記空調用冷媒の出口となる第１空調用冷媒出口の近傍に備え、前記制御装置は、前記空調サイクルでの冷房運転と、前記給湯サイクルでの給湯運転と、を同時に実行する場合に、前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、前記空調放熱量が前記給湯吸熱量より大きいとき、給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記空調用熱源側熱交換器への前記空調用冷媒の流入量を調整することを特徴とする。
【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムであって、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、
前記空調用冷媒流入量調整手段は空調用冷媒流量調整弁であって、
前記空調用熱源側熱交換器の前記空調用冷媒に対する流路抵抗が、前記中間熱交換器の前記空調用冷媒に対する流路抵抗より小さい場合の構成として、
前記空調用冷媒流量調整弁を、前記冷房運転時に前記空調用熱源側熱交換器への前記空調用冷媒の入口となる第１空調用冷媒入口に備え、さらに、前記空調用熱交換器出口温度測定手段を、前記冷房運転時に前記空調用熱源側熱交換器からの前記空調用冷媒の出口となる第１空調用冷媒出口の近傍に備え、
前記制御装置は、
前記空調サイクルでの冷房運転と、前記給湯サイクルでの給湯運転と、を同時に実行する場合に、
前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、
前記空調放熱量が前記給湯吸熱量より大きいとき、
給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記空調用熱源側熱交換器への前記空調用冷媒の流入量を調整することを特徴とする空調給湯システム。
【請求項２】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムであって、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、
前記空調用冷媒流入量調整手段は空調用冷媒流量調整弁であって、
前記空調用熱源側熱交換器の前記空調用冷媒に対する流路抵抗が、前記中間熱交換器の前記空調用冷媒に対する流路抵抗より小さい場合の構成として、
前記空調用冷媒流量調整弁を、前記冷房運転時に前記空調用熱源側熱交換器への前記空調用冷媒の入口となる第１空調用冷媒入口に備え、さらに、前記空調用熱交換器出口温度測定手段を、前記冷房運転時に前記空調用熱源側熱交換器からの前記空調用冷媒の出口となる第１空調用冷媒出口の近傍に備え、
前記制御装置は、
前記空調サイクルでの冷房運転と、前記給湯サイクルでの給湯運転と、を同時に実行する場合に、
前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、
前記空調放熱量が前記給湯吸熱量より大きいとき、
給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記空調用熱交換器出口温度が前記目標凝縮温度となるように前記空調用熱源側熱交換器への前記空調用冷媒の流入量を調整することを特徴とする空調給湯システム。
【請求項３】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムであって、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、
前記空調用冷媒流入量調整手段は空調用冷媒流量調整弁であって、
前記中間熱交換器の前記空調用冷媒に対する流路抵抗が、前記空調用熱源側熱交換器の前記空調用冷媒に対する流路抵抗より小さい場合の構成として、
前記空調用冷媒流量調整弁を、前記冷房運転時に前記中間熱交換器への前記空調用冷媒の入口となる第２空調用冷媒入口に備え、さらに、前記空調用熱交換器出口温度測定手段を、前記冷房運転時に前記中間熱交換器からの前記空調用冷媒の出口となる第２空調用冷媒出口の近傍に備え、
前記制御装置は、
前記空調サイクルでの冷房運転と、前記給湯サイクルでの給湯運転と、を同時に実行する場合に、
前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、
前記空調放熱量が前記給湯吸熱量より大きいとき、
給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記中間熱交換器への前記空調用冷媒の流入量を調整することを特徴とする空調給湯システム。
【請求項４】
空調用冷媒が循環して空調サイクルを形成する空調用冷媒回路と、給湯用冷媒が循環して給湯サイクルを形成する給湯用冷媒回路と、制御装置と、を備えるとともに、
前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムであって、
前記空調サイクルでの冷房運転時に、前記空調用熱源側熱交換器又は前記中間熱交換器への前記空調用冷媒の流入量を調整する空調用冷媒流入量調整手段と、
前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、
前記空調用冷媒流入量調整手段は空調用冷媒流量調整弁であって、
前記中間熱交換器の前記空調用冷媒に対する流路抵抗が、前記空調用熱源側熱交換器の前記空調用冷媒に対する流路抵抗より小さい場合の構成として、
前記空調用冷媒流量調整弁を、前記冷房運転時に前記中間熱交換器への前記空調用冷媒の入口となる第２空調用冷媒入口に備え、さらに、前記空調用熱交換器出口温度測定手段を、前記冷房運転時に前記中間熱交換器からの前記空調用冷媒の出口となる第２空調用冷媒出口の近傍に備え、
前記制御装置は、
前記空調サイクルでの冷房運転と、前記給湯サイクルでの給湯運転と、を同時に実行する場合に、
前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、
前記空調放熱量が前記給湯吸熱量より大きいとき、
給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記空調用熱交換器出口温度が前記目標凝縮温度となるように前記中間熱交換器への前記空調用冷媒の流入量を調整することを特徴とする空調給湯システム。
【請求項５】
前記給湯サイクルでの給湯運転時に、前記給湯用熱源側熱交換器又は前記中間熱交換器への前記給湯用冷媒の流入量を調整する給湯用冷媒流入量調整手段と、
前記給湯用熱源側熱交換器と前記中間熱交換器のうち、前記給湯運転時に前記給湯用冷媒の流入量が調整される一方の給湯用熱交換器出口温度を測定する給湯用熱交換器出口温度測定手段と、をさらに備え、
前記制御装置は、
前記空調サイクルでの冷房運転と、前記給湯サイクルでの給湯運転と、を同時に実行する場合に、前記給湯吸熱量が前記空調放熱量より大きいとき、
空調用冷媒遮断手段によって前記空調用熱源側熱交換器への前記空調用冷媒の流入を遮断するとともに、前記給湯用熱交換器出口温度に基づいて前記給湯用冷媒流入量調整手段を制御して、前記給湯用熱源側熱交換器又は前記中間熱交換器への前記給湯用冷媒の流入量を調整することを特徴とする請求の範囲第１項乃至請求の範囲第４項のいずれか１項に記載の空調給湯システム。
【請求項６】
前記制御装置は、
前記給湯用熱交換器出口温度が前記目標蒸発温度となるように前記給湯用熱源側熱交換器又は前記中間熱交換器への前記給湯用冷媒の流入量を調整することを特徴とする請求の範囲第５項に記載の空調給湯システム。
【請求項７】
前記給湯用冷媒流入量調整手段は給湯用冷媒流量調整弁であって、
前記給湯用熱源側熱交換器の前記給湯用冷媒に対する流路抵抗が、前記中間熱交換器の前記給湯用冷媒に対する流路抵抗より小さい場合の構成として、
前記給湯用冷媒流量調整弁を、前記給湯運転時に前記給湯用熱源側熱交換器への前記給湯用冷媒の入口となる第１給湯用冷媒入口に備え、さらに、前記給湯用熱交換器出口温度測定手段を、前記給湯運転時に前記給湯用熱源側熱交換器からの前記給湯用冷媒の出口となる第１給湯用冷媒出口の近傍に備え、
前記制御装置は、前記給湯用冷媒流量調整弁の弁開度を調整して、前記給湯用熱源側熱交換器への前記給湯用冷媒の流入量を調整することを特徴とする請求の範囲第５項に記載の空調給湯システム。
【請求項８】
前記給湯用冷媒流入量調整手段は給湯用冷媒流量調整弁であって、
前記給湯用熱源側熱交換器の前記給湯用冷媒に対する流路抵抗が、前記中間熱交換器の前記給湯用冷媒に対する流路抵抗より小さい場合の構成として、
前記給湯用冷媒流量調整弁を、前記給湯運転時に前記給湯用熱源側熱交換器への前記給湯用冷媒の入口となる第１給湯用冷媒入口に備え、さらに、前記給湯用熱交換器出口温度測定手段を、前記給湯運転時に前記給湯用熱源側熱交換器からの前記給湯用冷媒の出口となる第１給湯用冷媒出口の近傍に備え、
前記制御装置は、前記給湯用冷媒流量調整弁の弁開度を調整して、前記給湯用熱源側熱交換器への前記給湯用冷媒の流入量を調整することを特徴とする請求の範囲第６項に記載の空調給湯システム。
【請求項９】
前記給湯用冷媒流入量調整手段は給湯用冷媒流量調整弁であって、
前記中間熱交換器の前記給湯用冷媒に対する流路抵抗が、前記給湯用熱源側熱交換器の前記給湯用冷媒に対する流路抵抗より小さい場合の構成として、
前記給湯用冷媒流量調整弁を、前記給湯運転時に前記中間熱交換器への前記給湯用冷媒の入口となる第２給湯用冷媒入口に備え、さらに、前記給湯用熱交換器出口温度測定手段を、前記給湯運転時に前記中間熱交換器からの前記給湯用冷媒の出口となる第２給湯用冷媒出口の近傍に備え、
前記制御装置は、前記給湯用冷媒流量調整弁の弁開度を調整して、前記中間熱交換器への前記給湯用冷媒の流入量を調整することを特徴とする請求の範囲第５項に記載の空調給湯システム。
【請求項１０】
前記給湯用冷媒流入量調整手段は給湯用冷媒流量調整弁であって、
前記中間熱交換器の前記給湯用冷媒に対する流路抵抗が、前記給湯用熱源側熱交換器の前記給湯用冷媒に対する流路抵抗より小さい場合の構成として、
前記給湯用冷媒流量調整弁を、前記給湯運転時に前記中間熱交換器への前記給湯用冷媒の入口となる第２給湯用冷媒入口に備え、さらに、前記給湯用熱交換器出口温度測定手段を、前記給湯運転時に前記中間熱交換器からの前記給湯用冷媒の出口となる第２給湯用冷媒出口の近傍に備え、
前記制御装置は、前記給湯用冷媒流量調整弁の弁開度を調整して、前記中間熱交換器への前記給湯用冷媒の流入量を調整することを特徴とする請求の範囲第６項に記載の空調給湯システム。
【手続補正３】
【補正対象書類名】明細書
【補正対象項目名】０００１
【補正方法】変更
【補正の内容】
【０００１】
本発明は、空調用冷媒回路と給湯用冷媒回路が、中間熱交換器を介して互いに熱交換可能に接続されて空調サイクルと給湯サイクルの二元冷凍サイクルが形成されている多熱源の空調給湯システムに関する。
【手続補正４】
【補正対象書類名】明細書
【補正対象項目名】０００７
【補正方法】変更
【補正の内容】
【０００７】
そこで本発明は、排熱回収運転時に、熱量の大きなサイクルにおける冷媒を、排熱回収用の熱交換器と、排熱用の熱交換器とに好適に分配可能な空調給湯システムを提供することを課題とする。
【手続補正５】
【補正対象書類名】明細書
【補正対象項目名】０００８
【補正方法】変更
【補正の内容】
【０００８】
前記課題を解決するため本発明は、空調用冷媒が循環して空調サイクルを形成する空調用冷媒回路と、給湯用冷媒が循環して給湯サイクルを形成する給湯用冷媒回路と、制御装置と、を備えるとともに、前記空調用冷媒回路において前記空調用冷媒と大気との間で熱交換する空調用熱源側熱交換器と並列に、かつ、前記給湯用冷媒回路において前記給湯用冷媒と大気との間で熱交換する給湯用熱源側熱交換器と並列に、接続されて前記空調用冷媒と前記給湯用冷媒との間で熱交換する中間熱交換器を備えてなる空調給湯システムとする。そして、前記空調サイクルでの冷房運転時に、前記空調用熱源側熱交換器又は前記中間熱交換器への前記空調用冷媒の流入量を調整する空調用冷媒流入量調整手段と、前記空調用熱源側熱交換器と前記中間熱交換器のうち、前記冷房運転時に前記空調用冷媒の流入量が調整される一方の空調用熱交換器出口温度を測定する空調用熱交換器出口温度測定手段と、を備え、前記空調用冷媒流入量調整手段は空調用冷媒流量調整弁であって、前記空調用熱源側熱交換器の前記空調用冷媒に対する流路抵抗が、前記中間熱交換器の前記空調用冷媒に対する流路抵抗より小さい場合の構成として、前記空調用冷媒流量調整弁を、前記冷房運転時に前記空調用熱源側熱交換器への前記空調用冷媒の入口となる第１空調用冷媒入口に備え、さらに、前記空調用熱交換器出口温度測定手段を、前記冷房運転時に前記空調用熱源側熱交換器からの前記空調用冷媒の出口となる第１空調用冷媒出口の近傍に備え、前記制御装置は、前記空調サイクルでの冷房運転と、前記給湯サイクルでの給湯運転と、を同時に実行する場合に、前記空調用冷媒回路における空調放熱量と、前記給湯用冷媒回路における給湯吸熱量と、前記空調用冷媒回路における目標凝縮温度と、前記給湯用冷媒回路における目標蒸発温度と、を演算し、前記空調放熱量が前記給湯吸熱量より大きいとき、給湯用冷媒遮断手段によって前記給湯用熱源側熱交換器への前記給湯用冷媒の流入を遮断するとともに、前記空調用熱交換器出口温度に基づいて前記空調用冷媒流量調整弁の弁開度を調整して、前記空調用熱源側熱交換器への前記空調用冷媒の流入量を調整することを特徴とする。
【手続補正６】
【補正対象書類名】明細書
【補正対象項目名】０００９
【補正方法】変更
【補正の内容】
【０００９】
本発明によると、排熱回収運転時に、熱量の大きなサイクルにおける冷媒を、排熱回収用の熱交換器と、排熱用の熱交換器とに好適に分配可能な空調給湯システムを提供できる。
【国際調査報告】
2012114461.tif 000013
2012114461.tif 000014
2012114461.tif 000015
2012114461.tif 000016